(57)【特許請求の範囲】
【請求項１】
複数の無線アクセス技術（ＲＡＴ）を使用して１つまたは複数のワイヤレスネットワークと通信するための方法であって、
ユーザ機器（ＵＥ）によって、第１のワイヤレスネットワークにアクセスするために第１の接続を介して第１のＲＡＴを使用して第１のアクセスポイントと通信することと、
前記ＵＥによって、第２の接続を介して第２のＲＡＴを使用して第２のアクセスポイントと通信することと、ここにおいて、前記第２の接続が、前記第１のアクセスポイントから前記ＵＥによって受信された構成に少なくとも部分的に基づいて前記第１の接続とのトラフィックアグリゲーションを実施するように構成され、前記第２の接続は、前記第２のＲＡＴを使用して前記第２のアクセスポイントと通信する接続のうちの、前記第１の接続と前記トラフィックアグリゲーションを実施する接続を表す、
前記ＵＥによって、少なくとも部分的に、前記第１の接続との前記トラフィックアグリゲーションの前記実施をベースとした前記第２の接続、および他の接続を管理することと
を備え、
ここにおいて、前記第１のＲＡＴは、ワイヤレスワイドエリアネットワーク（ＷＷＡＮ）ＲＡＴであり、前記第２のＲＡＴは、ワイヤレスローカルエリアネットワーク（ＷＬＡＮ）ＲＡＴである、
ここにおいて、前記管理することは、前記トラフィックアグリゲーションを実施するように構成された前記第２の接続が、前記第２のＲＡＴの１つまたは複数の他の接続よりも優先されるかどうかを決定することを備える、
方法。
【請求項２】
前記トラフィックアグリゲーションを実施するように構成された前記第２の接続が前記第２のＲＡＴの前記１つまたは複数の他の接続よりも優先されるかどうかを決定することが、前記第１のアクセスポイントまたは前記第２のアクセスポイントによって構成される１つまたは複数のポリシーに少なくとも部分的に基づく、請求項１に記載の方法。
【請求項３】
前記１つまたは複数のポリシーは、前記トラフィックアグリゲーションを実施するように構成された前記第２のＲＡＴの接続が前記第２のＲＡＴの他の接続よりも優先されることを指定し、
前記管理することは、前記１つまたは複数の他の接続を許可しないことをさらに備える、ここで、前記１つまたは複数の他の接続が、前記第２のＲＡＴに関係する他のポリシーにかかわらず前記第２のＲＡＴに関係する、請求項２に記載の方法。
【請求項４】
前記１つまたは複数のポリシーは、前記トラフィックアグリゲーションを実施するように構成された前記第２のＲＡＴの接続が、前記第２のＲＡＴの他の接続に関係するルールのサブセットが適用される前記第２のＲＡＴの他の接続よりも優先されることを指定し、
前記管理することは、
ルールの前記サブセットが適用される前記１つまたは複数の他の接続を許可しないこと、ここで、前記１つまたは複数の他の接続が前記第２のＲＡＴに関係する、または
ルールの前記サブセットが適用されない前記１つまたは複数の他の接続を許可すること、ここで、前記１つまたは複数の他の接続が前記第２のＲＡＴに関係する、
のうちの少なくとも１つをさらに備える、請求項２に記載の方法。
【請求項５】
トラフィックアグリゲーションを利用する１つまたは複数の接続のアクティブ化または非アクティブ化を検出することに少なくとも部分的に基づいて前記１つまたは複数のポリシーを再構成すべきかどうかを決定することをさらに備える、請求項４に記載の方法。
【請求項６】
前記管理することは、トラフィックアグリゲーションを使用するように構成された前記第２のＲＡＴの接続が、前記第２のＲＡＴの他の接続よりも優先されると決定することに少なくとも部分的に基づいて第２のＲＡＴインターフェースに前記第２のＲＡＴの他のネットワークの利用可能性を報告することを控えることを備える、請求項１に記載の方法。
【請求項７】
前記管理することは、トラフィックアグリゲーションを使用するように構成された前記第２のＲＡＴの接続が、前記第２のＲＡＴの他の接続よりも優先されると決定することに少なくとも部分的に基づいて前記第２のＲＡＴの選択機能に前記第２のＲＡＴの他のネットワークの利用可能性を報告することを控えることを備える、請求項１に記載の方法。
【請求項８】
前記管理することは、トラフィックアグリゲーションを実施するように構成された前記第２のＲＡＴの接続が、他のＲＡＴを利用する１つまたは複数の他の接続よりも優先されるかどうかを決定することを備える、請求項１に記載の方法。
【請求項９】
トラフィックアグリゲーションを実施するように構成された前記第２のＲＡＴの接続が、他のＲＡＴを利用する他の接続よりも優先されるかどうかを決定することが、前記第１のアクセスポイントまたは前記第２のアクセスポイントによって構成される１つまたは複数のポリシーに少なくとも部分的に基づく、請求項８に記載の方法。
【請求項１０】
前記管理することが、前記１つまたは複数の他の接続を許可しないことを備える、ここにおいて、前記１つまたは複数の他の接続が、他のＲＡＴに関係する、ここにおいて、決定することは、トラフィックアグリゲーションを使用するように構成された前記第２のＲＡＴの接続が、他のＲＡＴを利用する接続よりも優先されると決定することを含む、請求項８に記載の方法。
【請求項１１】
前記管理することが、トラフィックアグリゲーションを利用すべき複数のベアラのサブセットを決定することに少なくとも部分的に基づき、
前記管理することは、
前記第２のＲＡＴを使用した前記複数のベアラの前記サブセットを介した通信のために前記第２の接続を利用することと、
前記第２のＲＡＴを使用した前記複数のベアラの残りの部分を介した通信のために１つまたは複数の他の接続を利用することと
をさらに備える、請求項１に記載の方法。
【請求項１２】
前記複数のベアラの前記残りの部分を介した通信のために前記１つまたは複数の他の接続を利用することが、前記第２のＲＡＴのための１つまたは複数のポリシーに少なくとも部分的に基づく、請求項１１に記載の方法。
【請求項１３】
前記第２のＲＡＴを使用した前記複数のベアラの前記サブセットを介した通信のために前記第２の接続を利用することが、前記１つまたは複数の他の接続にオフロードするために前記複数のベアラが利用可能でないことを示すことを備える、請求項１１に記載の方法。
【請求項１４】
複数の無線アクセス技術（ＲＡＴ）を使用して１つまたは複数のワイヤレスネットワークと通信するためのユーザ機器（ＵＥ）であって、
第１のワイヤレスネットワークにアクセスするために第１の接続を介して第１のＲＡＴを使用して第１のアクセスポイントと通信するための手段と、
第２の接続を介して第２のＲＡＴを使用して第２のアクセスポイントと通信するための手段と、ここにおいて、前記第２の接続が、前記第１のアクセスポイントから前記ＵＥによって受信された構成に少なくとも部分的に基づいて前記第１の接続とのトラフィックアグリゲーションを実施するように構成され、前記第２の接続は、前記第２のＲＡＴを使用して前記第２のアクセスポイントと通信する接続のうちの、前記第１の接続と前記トラフィックアグリゲーションを実施する接続を表す、
少なくとも部分的に、前記第１の接続との前記トラフィックアグリゲーションの前記実施をベースとした前記第２の接続、および他の接続を管理するための手段と、
を備え、
ここにおいて、前記第１のＲＡＴは、ワイヤレスワイドエリアネットワーク（ＷＷＡＮ）ＲＡＴであり、前記第２のＲＡＴは、ワイヤレスローカルエリアネットワーク（ＷＬＡＮ）ＲＡＴである、
ここにおいて、管理するための前記手段は、少なくとも部分的に、前記トラフィックアグリゲーションを実施するように構成された前記第２の接続が、前記第２のＲＡＴの１つまたは複数の他の接続よりも優先されるかどうかを決定することによって前記第２の接続を管理するように構成される、
ユーザ機器。
【請求項１５】
コンピュータによって実行されたとき、請求項１−１３のうちのいずれか一項に記載の方法を実行するための命令を備える、コンピュータプログラム。
【発明の詳細な説明】
【技術分野】
【０００１】
優先権の主張
[0001]本特許出願は、本出願の譲受人に譲渡され、参照により本明細書に明確に組み込まれる、２０１５年２月２７日に出願された「ＴＥＣＨＮＩＱＵＥＳ  ＦＯＲ  ＭＡＮＡＧＩＮＧ  ＷＩＲＥＬＥＳＳ  ＮＥＴＷＯＲＫ  ＣＯＮＮＥＣＴＩＯＮＳ  ＦＯＲ  ＴＲＡＦＦＩＣ  ＡＧＧＲＥＧＡＴＩＯＮ」と題する非仮出願第１４／６３３，８９７号、および２０１４年５月１６日に出願された「ＴＥＣＨＮＩＱＵＥＳ  ＦＯＲ  ＭＡＮＡＧＩＮＧ  ＷＩＲＥＬＥＳＳ  ＮＥＴＷＯＲＫ  ＣＯＮＮＥＣＴＩＯＮＳ  ＦＯＲ  ＴＲＡＦＦＩＣ  ＡＧＧＲＥＧＡＴＩＯＮ」と題する仮出願第６１／９９４，５１０号の優先権を主張する。
【０００２】
[0002]本開示は、たとえば、ワイヤレス通信システムに関し、より詳細には、トラフィックアグリゲーションのためのワイヤレスネットワーク接続を管理するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局（たとえば、ｅノードＢ）を含み得る。ＵＥは、ダウンリンクとアップリンクとを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]さらに、ＵＥは、８０２．１１（ＷｉＦｉ（登録商標））などのワイヤレス通信技術を使用して１つまたは複数のホットスポットにアクセスすることによってワイヤレスローカルエリアネットワーク（ＷＬＡＮ）において通信する能力があり得る。この点について、ＵＥは、１つまたは複数のＷＬＡＮのＲＡＮとともにワイヤレスワイドエリアネットワーク（ＷＷＡＮ）（たとえば、セルラーネットワーク）の無線アクセスネットワーク（ＲＡＮ）と通信することができる。ＵＥは、ＷＷＡＮのＲＡＮと通信するように動作可能な受信機（たとえば、ロングタームエボリューション（ＬＴＥ（登録商標））、ユニバーサル電気通信モバイルシステム（ＵＭＴＳ）、または同様の受信機）とＷＬＡＮのＲＡＮと通信するように動作可能な別の受信機（たとえば、８０２．１１  ＷｉＦｉ受信機）とを含むことができる。ＵＥは、追加または代替として、両方のＲＡＮと通信するように動作可能な単一の受信機を含み得る。いずれの場合も、ＵＥは、ＷＷＡＮからＷＬＡＮにまたはその逆などにトラフィックをオフロードするために、１つまたは複数のネットワークノードに同時アクセスを与えるためにＷＷＡＮおよびＷＬＡＮと通信することができる。
【０００６】
[0006]別の構成では、ＲＡＮを介して、さらに、ＷＬＡＮ  ＲＡＮを使用してＵＥがＷＷＡＮと通信することを許可するためにトラフィックアグリゲーションが実施され得る。ＵＥは、ＷＷＡＮにアクセスするためにＷＷＡＮ  ＲＡＮのｅノードＢならびにＷＬＡＮ  ＲＡＮのＷＬＡＮアクセスポイントと通信することができ、ＷＬＡＮアクセスポイントは、ワイヤレスネットワークへのアクセスを与えるためにｅノードＢと通信することができる。この構成は、ＷＷＡＮ上でのＵＥのスループットの改善を可能にすることができる。ＵＥの上位レイヤは、この構成に対してアグノスティックであり得、したがって、トラフィックアグリゲーションの実施は、ＷＬＡＮに指定されるポリシー（たとえば、アクセスネットワーク発見および選択機能（ＡＮＤＳＦ：access network discovery and selection function）ポリシーなど）に矛盾を生じ得る。
【発明の概要】
【０００７】
[0007]本開示の態様は、一般に、ワイヤレス通信に関し、より詳細には、ネットワーク発見および選択のためのポリシーを利用する１つまたは複数の他のネットワーク上での１つまたは複数のネットワークのトラフィックアグリゲーションのためのワイヤレス接続を管理するための技法に関する。たとえば、ワイヤレスローカルエリアネットワーク（ＷＬＡＮ）接続を介して無線アクセスネットワーク（ＲＡＮ）アグリゲーションを相互に作用するための技法について、本明細書で説明する。
【０００８】
[0008]一態様によれば、ワイヤレスデバイス（たとえば、ユーザ機器（ＵＥ））は、異なる無線アクセス技術（ＲＡＴ）および／またはネットワークアーキテクチャを使用して複数のＲＡＮ中のアクセスポイントと通信し得る。たとえば、ワイヤレスデバイスは、１つまたは複数のネットワークにアクセスするために、ワイヤレスワイドエリアネットワーク（ＷＷＡＮ）またはセルラーネットワークのためのＲＡＮの発展型ノードＢまたは他の構成要素、ＷＬＡＮのためのＲＡＮのホットスポットまたは同様のアクセスポイントなどと通信し得る。一例では、ＵＥは、第１のアクセスポイントとの第１の接続を介して第１のＲＡＴを使用し、第２のアクセスポイントとの第２の接続を介して第２のＲＡＴを使用することによって第１のネットワークにアクセスするためのトラフィックアグリゲーション（たとえば、ＲＡＮアグリゲーション）を実施し得、ここで、第２のアクセスポイントは、第１のネットワークへのトラフィックアグリゲーションをＵＥに与えるために第１のアクセスポイントと通信する。第１のアクセスポイントと第２のアクセスポイントとは、ＲＡＮの一部であるか、または異なるＲＡＮであり得る。この構成により、第１のネットワークとの接続性が改善されるが、第２のＲＡＴについてネットワーク発見および選択にあいまいさがもたらされ得る。したがって、そのような構成においてネットワーク発見および選択を支援する技法について本明細書で説明する。
【０００９】
[0009]一態様によれば、複数のＲＡＴを使用して１つまたは複数のワイヤレスネットワークと通信するための方法を提供する。本方法は、第１のワイヤレスネットワークにアクセスするために第１の接続を介して第１のＲＡＴを使用して第１のアクセスポイントと通信することと、第２の接続を介して第２のＲＡＴを使用して第２のアクセスポイントと通信することと、ここにおいて、第２の接続が、第１のアクセスポイントから受信された構成に少なくとも部分的に基づいて第１の接続とのトラフィックアグリゲーションを実施するように構成される、第１の接続とのトラフィックアグリゲーションの第２の接続を少なくとも部分的にベースとした実施を管理することとを含む。
【００１０】
[0010]さらに、たとえば、本方法は、第２の接続を管理することは、トラフィックアグリゲーションを実施するように構成された第２の接続が、第２のＲＡＴの１つまたは複数の他の接続よりも優先されるかどうかを決定することを備えることを含み得る。本方法は、トラフィックアグリゲーションを実施するように構成された第２の接続が第２のＲＡＴの１つまたは複数の他の接続よりも優先されるかどうかを決定することが、第１のアクセスポイントまたは第２のアクセスポイントによって構成される１つまたは複数のポリシーに少なくとも部分的に基づくことをさらに含み得る。さらに、本方法は、たとえば、１つまたは複数のポリシーは、トラフィックアグリゲーションを実施するように構成された第２のＲＡＴの接続が第２のＲＡＴの他の接続よりも優先されることを指定し、１つまたは複数の他の接続を許可しないことをさらに備えること、ここで、１つまたは複数の他の接続が、第２のＲＡＴに関係する他のポリシーにかかわらず第２のＲＡＴに関係する、を含み得る。さらに、たとえば、本方法は、１つまたは複数のポリシーは、トラフィックアグリゲーションを実施するように構成された第２のＲＡＴの接続が、第２のＲＡＴの他の接続に関係するルールのサブセットよりも優先されることを指定し、ルールのサブセットが適用される１つまたは複数の他の接続を許可しないことと、ここで、１つまたは複数の他の接続が第２のＲＡＴに関係する、ルールのサブセットが適用されない１つまたは複数の他の接続を許可することと、ここで、１つまたは複数の他の接続が第２のＲＡＴに関係する、１つまたは複数の他の接続のほうを優先して第２の接続を無効化することとのうちの少なくとも１つをさらに含むことを含み得る。本方法は、トラフィックアグリゲーションを利用する１つまたは複数の接続のアクティブ化または非アクティブ化を検出することに少なくとも部分的に基づいて１つまたは複数のポリシーを再構成すべきかどうかを決定することをさらに含み得る。本方法はまた、第２の接続を管理することは、トラフィックアグリゲーションを使用するように構成された第２のＲＡＴの接続が、第２のＲＡＴの他の接続よりも優先されると決定することに少なくとも部分的に基づいて第２のＲＡＴインターフェースに第２のＲＡＴの他のネットワークの利用可能性を報告することを控えることを備えることを含み得る。さらに、本方法は、第２の接続を管理することは、トラフィックアグリゲーションを使用するように構成された第２のＲＡＴの接続が、第２のＲＡＴの他の接続よりも優先されると決定することに少なくとも部分的に基づいて第２のＲＡＴの選択機能に第２のＲＡＴの他のネットワークの利用可能性を報告することを控えることを備えることを含み得る。
【００１１】
[0011]さらに、本方法はまた、たとえば、第２の接続を管理することは、トラフィックアグリゲーションを実施するように構成された第２のＲＡＴの接続が、他のＲＡＴを利用する１つまたは複数の他の接続よりも優先されるかどうかを決定することを備えることを含み得る。本方法は、さらに、トラフィックアグリゲーションを実施するように構成された第２のＲＡＴの接続が、他のＲＡＴを利用する他の接続よりも優先されるかどうかを決定することが、第１のアクセスポイントまたは第２のアクセスポイントによって構成される１つまたは複数のポリシーに少なくとも部分的に基づくことを含み得る。さらに、たとえば、本方法は、第２の接続を管理することが、１つまたは複数の他の接続を許可しないことを備えること、ここにおいて、１つまたは複数の他の接続が、他のＲＡＴに関係する、ここにおいて、決定することは、トラフィックアグリゲーションを使用するように構成された第２のＲＡＴの接続が、他のＲＡＴを利用する接続よりも優先されると決定することを含む、を含み得る。
【００１２】
[0012]本方法は、たとえば、第２のＲＡＴを使用して１つまたは複数の他の接続を開始するという指示を受信すること、ここにおいて、第２の接続を管理することが、第２の接続を無効化することと、１つまたは複数の他の接続をアクティブ化することとを備える、をも含むことができる。本方法は、指示を受信することが、インターフェース選択あるいは第２のＲＡＴの１つまたは複数のポリシーから指示を受信することを備えることをさらに含み得る。また、たとえば、本方法は、第２の接続を無効化することが、トラフィックアグリゲーションを無効化するために第１のアクセスポイントにメッセージを送ることを備えることを含み得る。本方法は、トラフィックアグリゲーションを無効化するために第１のアクセスポイントにメッセージを送ることが、１つまたは複数の他の接続を開始するという指示を受信することによりトラフィックアグリゲーションを無効化することに関係する原因コード（cause code）をメッセージ中で送ることを備えることをさらに含むことができる。さらに、本方法は、１つまたは複数の接続を終了することに少なくとも部分的に基づいて１つまたは複数の接続の終了に関係する別の指示を第１のアクセスポイントに送ることと、第１のアクセスポイントに別の指示を送ることに少なくとも部分的に基づいて第１のワイヤレスネットワークにアクセスするために第２のＲＡＴを使用して別の接続を開始することとを含み得る。
【００１３】
[0013]一例では、本方法はまた、第１のワイヤレスネットワークへのパケットコアアクセスのためにではなく、１つまたは複数のポリシーによって指定された第１の接続または第２の接続からの指定されたトラフィックオフロードのために第３の接続を利用することに少なくとも部分的によって第２のＲＡＴを使用して第３のアクセスポイントとの第３の接続を管理することを含み得る。この例では、本方法は、指定されたトラフィックオフロードのために第３の接続を利用することが、第１のワイヤレスネットワークへのパケットコアアクセスをサポートする第３のアクセスポイントの能力を通知することを控えることを備えること、指定されたトラフィックオフロードのために第３の接続を利用することが、第３の接続のための第３のアクセスポイントを選択する際に第１のワイヤレスネットワークへのパケットコアアクセスをサポートする第３のアクセスポイントの能力を検討することを控えることを備えること、ならびに／あるいは指定されたトラフィックオフロードのために第３の接続を利用することが、第３の接続のための第３のアクセスポイントを選択する際に第１のワイヤレスネットワークへのパケットコアアクセスをサポートする発見されたアクセスポイントの能力を検討することを控えることを備えることを含むことができる。
【００１４】
[0014]本方法は、たとえば、第２の接続を管理することが、トラフィックアグリゲーションを利用すべき複数のベアラのサブセットを決定することに少なくとも部分的に基づくこと、ならびに、第２のＲＡＴを使用した複数のベアラのサブセットを介した通信のために第２の接続を利用することと、第２のＲＡＴを使用した複数のベアラの残りの部分を介した通信のために１つまたは複数の他の接続を利用することとをさらに含み得る。本方法は、複数のベアラの残りの部分を介した通信のために１つまたは複数の他の接続を利用することが、同様に第２のＲＡＴのための１つまたは複数のポリシーに少なくとも部分的に基づくことを含むことができる。さらに、本方法は、第２のＲＡＴを使用した複数のベアラのサブセットを介した通信のために第２の接続を利用することが、１つまたは複数の他の接続にオフロードするために複数のベアラが利用可能でないことを示すことを備えること、ならびに／あるいはオフロードするために複数のベアラが利用可能でないことを示すことが、第２のＲＡＴに指定される１つまたは複数のポリシー中で行われることを含み得る。
【００１５】
[0015]別の態様では、複数のＲＡＴを使用して１つまたは複数のワイヤレスネットワークと通信するための装置を提供する。本装置は、第１のワイヤレスネットワークにアクセスするために第１の接続を介して第１のＲＡＴを使用して第１のアクセスポイントと通信することと、第２の接続を介して第２のＲＡＴを使用して第２のアクセスポイントと通信することと、ここにおいて、第２の接続が、第１のアクセスポイントから受信された構成に少なくとも部分的に基づいて第１の接続とのトラフィックアグリゲーションを実施するように構成される、を行うように構成された通信構成要素と、第１の接続とのトラフィックアグリゲーションの第２の接続を少なくとも部分的にベースとした実施を管理することを行うように構成された接続管理構成要素とを含み得る。本装置はまた、接続管理構成要素は、トラフィックアグリゲーションを実施するように構成された第２の接続が、第２のＲＡＴの１つまたは複数の他の接続よりも優先されるかどうかを決定することに少なくとも部分的によって第２の接続を管理するように構成されることを含み得る。
【００１６】
[0016]また別の例では、複数のＲＡＴを使用して１つまたは複数のワイヤレスネットワークと通信するための装置を提供する。本装置は、第１のワイヤレスネットワークにアクセスするために第１の接続を介して第１のＲＡＴを使用して第１のアクセスポイントと通信するための手段と、第２の接続を介して第２のＲＡＴを使用して第２のアクセスポイントと通信するための手段と、ここにおいて、第２の接続が、第１のアクセスポイントから受信された構成に少なくとも部分的に基づいて第１の接続とのトラフィックアグリゲーションを実施するように構成される、第１の接続とのトラフィックアグリゲーションの第２の接続を少なくとも部分的にベースとした実施を管理するための手段とを含み得る。本装置は、第２の接続を管理するための手段は、トラフィックアグリゲーションを実施するように構成された第２の接続が、第２のＲＡＴの１つまたは複数の他の接続よりも優先されるかどうかを決定することに少なくとも部分的によって第２の接続を管理するように構成されることをさらに含み得る。
【００１７】
[0017]またさらなる例では、複数のＲＡＴを使用して１つまたは複数のワイヤレスネットワークと通信するためのコンピュータ可読記憶媒体を提供する。本コンピュータ可読記憶媒体は、少なくとも１つのコンピュータに、第１のワイヤレスネットワークにアクセスするために第１の接続を介して第１のＲＡＴを使用して第１のアクセスポイントと通信することを行わせるためのコードと、少なくとも１つのコンピュータに、第２の接続を介して第２のＲＡＴを使用して第２のアクセスポイントと通信することを行わせるためのコードと、ここにおいて、第２の接続が、第１のアクセスポイントから受信された構成に少なくとも部分的に基づいて第１の接続とのトラフィックアグリゲーションを実施するように構成される、少なくとも１つのコンピュータに、第１の接続とのトラフィックアグリゲーションの第２の接続を少なくとも部分的にベースとした実施を管理することを行わせるためのコードとを含み得る。コンピュータ可読記憶媒体はまた、第２の接続を管理するためのコードは、トラフィックアグリゲーションを実施するように構成された第２の接続が、第２のＲＡＴの１つまたは複数の他の接続よりも優先されるかどうかを決定することに少なくとも部分的によって第２の接続を管理するためのコードを備えることを含み得る。
【００１８】
[0018]本開示の様々な態様および特徴について、添付の図面に示されているそれらの様々な例に関して以下でさらに詳細に説明する。本開示について様々な例に関して以下で説明するが、本開示はそれらに限定されないことを理解されたい。本明細書の教示へのアクセスを有する当業者は、本明細書で説明する本開示の範囲内にあり、本開示がそれらに関して著しく有意な有用であり得る、追加の実装形態、変更形態、および例、ならびに他の使用分野を認識されよう。
【００１９】
[0019]本開示のより完全な理解を可能にするために、次に添付の図面が参照され、そこにおいて、同様の数字を用いて同様の要素が参照される。これらの図面は、本開示を限定するものとして解釈されるべきではなく、例示的なものにすぎない。
【図面の簡単な説明】
【００２０】
【図１】[0020]本開示の一態様による、ワイヤレス通信システムの一例を概念的に示すブロック図。
【図２】[0021]本開示の一態様に従って構成されたｅノードＢおよびＵＥの例を概念的に示すブロック図。
【図３】[0022]本開示の一態様による、ＵＥにおける無線アクセス技術のアグリゲーションを概念的に示すブロック図。
【図４ａ】[0023]本開示の一態様による、ＵＥとＰＤＮとの間のデータ経路の一例を概念的に示すブロック図。
【図４ｂ】本開示の一態様による、ＵＥとＰＤＮとの間のデータ経路の一例を概念的に示すブロック図。
【図４ｃ】本開示の一態様による、ＵＥとＰＤＮとの間のデータ経路の一例を概念的に示すブロック図。
【図５】[0024]本開示の一態様に従って構成されたＵＥおよび構成要素の一例を概念的に示すブロック図。
【図６】[0025]本開示の一態様による、複数の接続を管理するための方法を示すフローチャート。
【図７】[0026]本開示の一態様による、接続の優先度に基づいて複数の接続を管理するための方法を示すフローチャート。
【図８】[0027]本開示の一態様による、接続の優先度に基づいて複数の接続を管理するための方法を示すフローチャート。
【図９】[0028]本開示の一態様による、接続を無効化するための方法を示すフローチャート。
【図１０】[0029]本開示の一態様による、接続の優先度に基づいて複数の接続を管理するための方法を示すフローチャート。
【図１１】[0030]本開示の一態様による、トラフィックアグリゲーション中の複数のベアラを管理するための方法を示すフローチャート。
【図１２】[0031]本開示の一態様に従って構成された処理システムを利用する装置のための例示的なハードウェア実装形態を概念的に示すブロック図。
【発明を実施するための形態】
【００２１】
[0032]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。しかしながら、これらの概念はこれらの具体的な詳細を伴わずに実施され得ることが当業者には明らかであろう。いくつかの例では、そのような概念を不明瞭にしないように、よく知られている構造および構成要素をブロック図の形式で示す。
【００２２】
[0033]トラフィックアグリゲーションメイにおけるワイヤレス接続を管理するための様々な技法について説明する。たとえば、トラフィックアグリゲーション接続の存在下でネットワーク接続のための発見および選択機能を定義するために、トラフィックアグリゲーション接続と発見および選択ポリシーを有するネットワーク接続との間で相互に作用するための様々な方法、装置、デバイス、およびシステムについて説明する。たとえば、ワイヤレスデバイス（たとえば、ユーザ機器（ＵＥ））は、第１のワイヤレスネットワークにアクセスするために第１のＲＡＴを使用して第１の接続を介して第１のアクセスポイントと通信することができ、第２のＲＡＴを使用して第２の接続を介して第２のアクセスポイントと通信することができる。第２のアクセスポイントは、第１のアクセスポイントを介して第１のネットワークにトラフィックアグリゲーションを与えるように構成され得る。たとえば、第１のアクセスポイントとは異なる無線アクセスネットワーク（ＲＡＮ）の一部であり得る第２のアクセスポイントは、第１のアクセスポイントとともに第１のネットワークとワイヤレスデバイスとの間で通信することが可能になり得る。この点について、ワイヤレスデバイスは、第１のワイヤレスネットワークにアクセスするために、それぞれ第１のＲＡＴおよび第２のＲＡＴを使用して第１のアクセスポイントおよび第２のアクセスポイントに接続することができる。別の例では、ワイヤレスデバイスは、第２のＲＡＴ（たとえば、第２のアクセスポイントまたは他のアクセスポイントに関係する第２のワイヤレスネットワーク）を使用して第２のワイヤレスネットワークにアクセスするように構成され得る。この点について、ワイヤレスデバイスは、第２の接続を介して与えられるトラフィックアグリゲーションの存在下で第２のＲＡＴを使用して第２の接続および／または他の接続を管理するためのパラメータをプロビジョンされ（provisioned）得る。上記のシナリオおよび同様のシナリオを、本明細書では、ＲＡＮアグリゲーション、または、より一般的に、トラフィックアグリゲーションと呼ぶ。
【００２３】
[0034]たとえば、ワイヤレスデバイスは、第２のＲＡＴを使用する他の接続に対するトラフィックアグリゲーション接続のための優先度を定義するパラメータをプロビジョンされ得る。たとえば、第２のＲＡＴが、ＷＬＡＮ  ＲＡＴである場合、ワイヤレスデバイスは、ＷＬＡＮ  ＲＡＴを使用し得る他の接続に対する、ＷＬＡＮ  ＲＡＴを使用するトラフィックアグリゲーション接続の優先度を示すように拡張されたアクセスネットワーク発見および選択機能（ＡＮＤＳＦ）ポリシーをプロビジョンされ得る。さらに、たとえば、第２のＲＡＴ、第２のＲＡＴのインターフェース、または第２のＲＡＴを使用して動作するＲＡＮを使用した利用可能な接続の報告は、第２のＲＡＴを使用したトラフィックアグリゲーション接続が利用可能であるかどうか、および／またはそのような接続がアクティブであるかどうかによって影響を及ぼされ得る。別の例では、トラフィックアグリゲーション接続は、ワイヤレスデバイスを使用して選択される（たとえば、ワイヤレスデバイスの上位レイヤにおいて明示的に選択される）第２のＲＡＴに基づいて他の接続によってオーバーライドされ得る。さらに、たとえば、トラフィックステアリングがワイヤレスデバイスに対して定義され得、ここで、第２のＲＡＴを使用する複数の接続が許可され、ここで、複数の接続のうちの１つがトラフィックアグリゲーション接続である。さらに、一例では、上記の概念は、各ベアラが、第１のＲＡＴを使用して第１の接続上に確立されるか、第２のＲＡＴを使用してトラフィックアグリゲーションのためにセットアップされた第２の接続上に確立されるか、または他の第２のＲＡＴ接続上に確立され得るように、ワイヤレスデバイス中のベアラごとに適用され得る。
【００２４】
[0035]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上述のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分においてＬＴＥ用語を使用する。
【００２５】
[0036]図１は、本開示の一態様による、ワイヤレス通信システム１００の一例を概念的に示すブロック図である。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。ＵＥ１１５のうちの１つまたは複数は、１つまたは複数の基地局１０５との第１の接続と第２の接続とを管理することを含む、本明細書で説明する態様を実行するための通信構成要素５４０を含み得、ここで、第１の接続と第２の接続とのうちの少なくとも１つがトラフィックアグリゲーションを実施する。基地局１０５は、第１のバックホール（backhaul）リンク１３２を通してコアネットワーク１３０と制御情報および／またはユーザデータを通信し得る。実施形態では、基地局１０５は、ワイヤードまたはワイヤレス通信リンクであり得る第２のバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ）またはセルラーフローに対応し得る。他の態様では、複数のフローは、ＷＷＡＮまたはセルラーフローとワイヤレスローカルエリアネットワーク（ＷＬＡＮ）またはＷｉ−Ｆｉフローとの組合せに対応し得、それの例について、本明細書でさらに説明する。
【００２６】
[0037]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術に対して重複するカバレージエリアがあり得る。概して、基地局１０５−ａは、ＷＷＡＮに対応する基地局（たとえば、ＬＴＥまたはＵＭＴＳマクロセル、スモールセルなどの基地局）であり得、基地局１０５−ｂは、ＷＬＡＮに対応する基地局（たとえば、ＷＬＡＮアクセスポイントとも呼ばれるＷｉＦｉホットスポット）であり得る。ただし、単一の基地局１０５が、複数のＲＡＴ（たとえば、ＬＴＥおよびＷｉＦｉ、ＬＴＥおよびＵＭＴＳ、ＵＭＴＳおよびＷｉＦｉなど）を介した通信をサポートすることができることを諒解されたい。
【００２７】
[0038]本明細書で使用する「スモールセル（small cell）」という用語は、アクセスポイントまたはアクセスポイントの対応するカバレージエリアを指すことがあり、ここで、この場合のアクセスポイントは、たとえば、マクロネットワークアクセスポイントまたはマクロセルの送信電力あるいはカバレージエリアと比較して、比較的低い送信電力あるいは比較的小さいカバレージを有する。たとえば、マクロセルは、限定はしないが、半径数キロメートルなど、比較的大きい地理的エリアをカバーし得る。対照的に、スモールセルは、限定はしないが、自宅、建築物、または建築物のフロアなど、比較的小さい地理的エリアをカバーし得る。したがって、スモールセルは、限定はしないが、ＢＳ、アクセスポイント、フェムトノード、フェムトセル、ピコノード、マイクロノード、ノードＢ、ｅＮＢ、ホームノードＢ（ＨＮＢ：home Node B）またはホーム発展型ノードＢ（ＨｅＮＢ：home evolved Node B）など、装置を含み得る。したがって、本明細書で使用する「スモールセル」という用語は、マクロセルと比較して比較的低い送信電力および／または比較的小さいカバレージエリアセルを指す。さらに、ネットワークノードは、ワイヤレスネットワークおよび／またはコアネットワークの１つまたは複数の他のネットワークノードと通信し得る。
【００２８】
[0039]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、概して、基地局１０５を記述するために使用され得る。ワイヤレス通信システム１００は、異なるタイプのｅノードＢが様々な地理的領域にカバレージを提供する、異種ＬＴＥ／ＬＴＥ−Ａネットワークであり得る。たとえば、各ｅノードＢ１０５は、マクロセル、スモールセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、たとえば、概して、比較的小さい地理的エリア（たとえば、建築物）をカバーすることになり、ネットワークプロバイダのサービスに加入しているＵＥ１１５による無制限アクセスを可能にし得る。また、フェムトセルは、たとえば、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ）中のＵＥ１１５、自宅中のユーザのためのＵＥ１１５など）による制限付きアクセスを提供し得る。マクロセルのためのｅノードＢ１０５はマクロｅノードＢと呼ばれることがある。ピコセルのためのｅノードＢ１０５はピコｅノードＢと呼ばれることがある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によるＬＴＥおよびＷＬＡＮまたはＷｉＦｉの使用をサポートし得る。
【００２９】
[0040]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いと通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明する技法は、同期動作または非同期動作のいずれかのために使用され得る。
【００３０】
[0041]ＵＥ１１５は、ワイヤレス通信システム１００全体にわたって分散され得、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００３１】
[0042]ワイヤレス通信システム１００に示された通信リンク１２５は、ＵＥ１１５からｅノードＢ１０５へのアップリンク（ＵＬ）送信、および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３２】
[0043]ワイヤレス通信システム１００のいくつかの態様では、ＵＥ１１５は、２つ以上のｅノードＢ１０５でキャリアアグリゲーション（ＣＡ）をサポートするように構成され得る。キャリアアグリゲーションのために使用されるｅノードＢ１０５はコロケートされ（collocated）得るか、または高速接続を通して接続され得る。いずれの場合も、ＵＥ１１５とｅノードＢ１０５との間のワイヤレス通信のためのコンポーネントキャリア（ＣＣ）のアグリゲーションを協調させることは、情報がキャリアアグリゲーションを実行するために使用されている様々なセル間で容易に共有され得るので、より容易に行われ得る。キャリアアグリゲーションのために使用されるｅノードＢ１０５がコロケートされない（たとえば、遠くに離れているかまたはそれらの間の高速接続を有しない）とき、コンポーネントキャリアのアグリゲーションを協調させることは、追加の態様を伴い得る。
【００３３】
[0044]さらに、たとえば、いくつかの基地局１０５は、異なるＲＡＴを使用する基地局が（たとえば、所与のＵＥ１１５のための）両方の基地局からのトラフィックをアグリゲートするために通信することができるように、トラフィックアグリゲーションをサポートすることができる。たとえば、ＵＥ１１５−ａは、基地局１０５−ａおよび基地局１０５−ｂと通信することができ、基地局１０５−ｂは、関係するＷＷＡＮに通信するためにＵＥ１１５−ａから基地局１０５−ａへのトラフィックをアグリゲートするために基地局１０５−ａと通信することができる。したがって、一例では、ＵＥ１１５−ａは、１つまたは複数のトランシーバを使用してＬＴＥ通信とＷｉＦｉ通信とをサポートし得る。この点について、たとえば、ＵＥ１１５−ａが、それぞれのＲＡＴを使用して、異なるＲＡＮを動作させる基地局１０５−ａおよび基地局１０５−ｂに第１のワイヤレスネットワークについてのデータを通信するように、ＵＥ１１５−ａのためにトラフィックアグリゲーションが確立され得る。一例では、基地局１０５−ｂは、関係する第１のワイヤレスネットワーク中で通信することについてのデータを基地局１０５−ａに与えることができる。この構成により、ＵＥ１１５−ａについてスループットまたは他の接続性特性の改善が可能になる。ＵＥ１１５−ａの上位レイヤ（および／またはそれのユーザ）は、構成に対してアグノスティック（agnostic）であり得、したがって、これは、ＵＥ１１５−ａにおける予想されるネットワーク発見および選択挙動と実際のネットワーク発見および選択挙動との間に矛盾を生じ得る。したがって、本明細書で説明する態様は、別のＲＡＴを使用してネットワークのためのトラフィックをアグリゲートする接続を実装することに基づいて、１つのＲＡＴを使用したネットワークのネットワーク発見および選択についての挙動を定義することに関する。
【００３４】
[0045]図２は、本開示の一態様に従って構成されたｅノードＢ２１０およびＵＥ２５０の例を概念的に示すブロック図である。たとえば、図２に示されているように、システム２００の基地局／ｅノードＢ２１０およびＵＥ２５０は、それぞれ、図１における基地局／ｅノードＢのうちの１つおよびＵＥのうちの１つであり得る。この点について、ＵＥ２５０は、一例では、１つまたは複数のｅＮＢ２１０または他の基地局／アクセスポイントとの第１の接続と第２の接続とを管理することを含む、本明細書で説明する態様を実行するための、コントローラ／プロセッサ２８１に結合された通信構成要素５４０を含むことができ、ここで、第１の接続と第２の接続とのうちの少なくとも１つがトラフィックアグリゲーションを実施する。したがって、いくつかの態様では、ｅノードＢ２１０は、本明細書で説明するように、トラフィックアグリゲーションをサポートし得る。いくつかの態様では、ＵＥ２５０も、トラフィックアグリゲーションをサポートし得る。ＵＥ２５０は、ｅノードＢ２１０または他のネットワークエンティティからトラフィックアグリゲーションについての構成情報を受信し得る。基地局２１０はアンテナ２３４1〜tを装備し得、ＵＥ２５０はアンテナ２５２1〜rを装備し得、ここにおいて、ｔおよびｒは１以上の整数である。
【００３５】
[0046]基地局２１０において、基地局送信プロセッサ２２０は、基地局データソース２１２からデータを受信し、基地局コントローラ／プロセッサ２４０から制御情報を受信し得る。制御情報は、ＰＢＣＨ、ＰＣＦＩＣＨ、物理的ハイブリッド自動再送／要求（ＨＡＲＱ）インジケータチャネル（ＰＨＩＣＨ）、ＰＤＣＣＨなどの上で搬送され得る。データは、ＰＤＳＣＨなどの上で搬送され得る。基地局送信プロセッサ２２０は、データおよび制御情報を処理（たとえば、符号化およびシンボルマッピング）して、それぞれデータシンボルおよび制御シンボルを取得し得る。基地局送信プロセッサ２２０はまた、たとえば、ＰＳＳ、ＳＳＳ、およびセル固有基準信号（ＲＳ：reference signal）のための基準シンボルを生成し得る。基地局送信（ＴＸ）多重入力多重出力（ＭＩＭＯ）プロセッサ２３０は、適用可能な場合、データシンボル、制御シンボル、および／または基準シンボルにおいて空間処理（たとえば、プリコーディング）を実行し得、基地局変調器／復調器（ＭＯＤ／ＤＥＭＯＤ）２３２1〜tに出力シンボルストリームを与え得る。各基地局変調器／復調器２３２は、出力サンプルストリームを取得するために、（たとえば、ＯＦＤＭなどのために）それぞれの出力シンボルストリームを処理し得る。各基地局変調器／復調器２３２は、出力サンプルストリームをさらに処理（たとえば、アナログへの変換、増幅、フィルタ処理、およびアップコンバート）して、ダウンリンク信号を取得し得る。変調器／復調器２３２1〜tからのダウンリンク信号は、それぞれアンテナ２３４1〜tを介して送信され得る。
【００３６】
[0047]ＵＥ２５０において、ＵＥアンテナ２５２1〜rは、基地局２１０からダウンリンク信号を受信し得、受信信号をそれぞれＵＥ変調器／復調器（ＭＯＤ／ＤＥＭＯＤ）２５４1〜rに与え得る。各ＵＥ変調器／復調器２５４は、それぞれの受信信号を調整（たとえば、フィルタ処理、増幅、ダウンコンバート、およびデジタル化）して、入力サンプルを取得し得る。各ＵＥ変調器／復調器２５４は、（たとえば、ＯＦＤＭなどのために）入力サンプルをさらに処理して、受信シンボルを取得し得る。ＵＥ  ＭＩＭＯ検出器２５６は、すべてのＵＥ変調器／復調器２５４1〜rから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２５０の復号されたデータをＵＥデータシンク２６０に与え、復号された制御情報をＵＥコントローラ／プロセッサ２８０に与え得る。
【００３７】
[0048]アップリンク上では、ＵＥ２５０において、ＵＥ送信プロセッサ２６４は、ＵＥデータソース２６２から（たとえば、ＰＵＳＣＨのための）データを受信し、処理し得、ＵＥコントローラ／プロセッサ２８０から（たとえば、ＰＵＣＣＨのための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ、（たとえば、ＳＣ−ＦＤＭなどのために）ＵＥ変調器／復調器２５４1〜rによってさらに処理され、基地局２１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、基地局受信プロセッサ２３８によってさらに処理されて、ＵＥ２５０によって送られた復号されたデータと制御情報とが取得され得る。基地局受信プロセッサ２３８は、復号されたデータを基地局データシンク２４６に提供し、復号された制御情報を基地局コントローラ／プロセッサ２４０に与え得る。
【００３８】
[0049]基地局コントローラ／プロセッサ２４０およびＵＥコントローラ／プロセッサ２８０は、それぞれ基地局２１０およびＵＥ２５０における動作を指示し得る。ＵＥ２５０におけるＵＥコントローラ／プロセッサ２８０ならびに／または他のプロセッサおよびモジュールはまた、たとえば、図５に示す機能ブロック、および／または本明細書で説明する技法のための他のプロセス（たとえば、図６〜図１１に示すフローチャート）を実行するか、またはその実行を指示し得る。いくつかの態様では、これらの機能ブロックおよび／またはプロセスの実行の少なくとも一部分は、図５を参照しながらさらに説明する通信構成要素５４０を含むことができるＵＥコントローラ／プロセッサ２８０中のブロック２８１によって実行され得る。基地局メモリ２４２およびＵＥメモリ２８２は、それぞれ、（たとえば、通信構成要素５４０について説明する機能を実行するための）基地局２１０およびＵＥ２５０のためのデータおよびプログラムコードを記憶し得る。たとえば、ＵＥメモリ２８２は、基地局２１０および／または別の基地局によってトラフィックアグリゲーションまたは他の通信サービスを実施することについての構成情報を記憶し得る。スケジューラ２４４は、ダウンリンクおよび／またはアップリンク上でのデータ送信のためにＵＥ２５０をスケジュールするために使用され得る。
【００３９】
[0050]一構成では、ＵＥ２５０は、第１のワイヤレスネットワークにアクセスするために第１の接続を介して第１のＲＡＴを使用して第１のアクセスポイントと通信するための手段を含み得る。ＵＥ２５０はまた、第２の接続を介して第２のＲＡＴを使用して第２のアクセスポイントと通信するための手段、ここにおいて、第２の接続は、第１のアクセスポイントによって、第１の接続とのトラフィックアグリゲーションを実施するように構成される、を含み得る。ＵＥ２５０は、さらに、第１の接続とのトラフィックアグリゲーションの第２の接続を少なくとも部分的にベースとした実施を管理することを含み得る。一態様では、上述の手段は、上述の手段によって具陳される機能を実行するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、およびＵＥアンテナ２５２であり得る。別の態様では、上述の手段は、上述の手段によって具陳される機能を実行するように構成されたモジュール、構成要素、または任意の装置であり得る。そのようなモジュール、構成要素、または装置の例について、図５に関して説明し得る。
【００４０】
[0051]図３は、本開示の一態様による、ＵＥにおける無線アクセス技術のアグリゲーションを概念的に示すブロック図である。アグリゲーションは、１つまたは複数のコンポーネントキャリア１〜Ｎ（ＣＣ1〜ＣＣN）を使用してｅノードＢ３０５−ａと通信し、および／またはＷＬＡＮキャリア３４０を使用してＷＬＡＮアクセスポイント（ＡＰ）３０５−ｂと通信することができる、マルチモードＵＥ３１５を含むシステム３００中で行われ得る。したがって、一例では、ＵＥ３１５は、１つまたは複数のＣＣ３３０または３４０を介した１つまたは複数のｅＮＢ３０５−ａ、ＷＬＡＮ  ＡＰ３０５−ｂまたは他の基地局／アクセスポイントとの第１の接続と第２の接続とを管理することを含む、本明細書で説明する態様を実行するための通信構成要素５４０を含むことができ、ここで、第１の接続と第２の接続とのうちの少なくとも１つがトラフィックアグリゲーションを実施する。マルチモードＵＥは、この例では、２つ以上の無線アクセス技術（ＲＡＴ）をサポートするＵＥを指すことがある。たとえば、ＵＥ３１５は、少なくともＷＷＡＮ無線アクセス技術（たとえば、ＬＴＥ）とＷＬＡＮ無線アクセス技術（たとえば、Ｗｉ−Ｆｉ）とをサポートする。マルチモードＵＥはまた、ＲＡＴのうちの１つまたは複数を使用してキャリアアグリゲーションをサポートし得る。ＵＥ３１５は、図１、図２、図３、図４ａ、図４ｂ、図４ｃまたは図５のＵＥのうちの１つの一例であり得る。ｅノードＢ３０５−ａは、図１、図２、図３、図４ａ、図４ｂ、図４ｃ、または図５のｅノードＢまたは基地局のうちの１つの一例であり得る。図３には、１つのＵＥ３１５、１つのｅノードＢ３０５−ａ、および１つのＡＰ３０５−ｂのみが示されているが、システム３００は、任意の数のＵＥ３１５、ｅノードＢ３０５−ａ、および／またはＡＰ３０５−ｂを含むことができることを諒解されよう。特定の一例では、ＵＥ３１５は、１つのＬＴＥコンポーネントキャリア３３０を介して１つのｅＮＢ３０５と通信しながら、別のコンポーネントキャリア３３０を介して別のｅＮＢ３０５と通信することができる。
【００４１】
[0052]ｅノードＢ３０５−ａは、ＬＴＥコンポーネントキャリアＣＣ1〜ＣＣN３３０上の順方向（ダウンリンク）チャネル３３２−１〜３３２−Ｎを介してＵＥ３１５に情報を送信することができる。さらに、ＵＥ３１５は、ＬＴＥコンポーネントキャリアＣＣ1〜ＣＣN上の逆方向（アップリンク）チャネル３３４−１〜３３４−Ｎを介してｅノードＢ３０５−ａに情報を送信することができる。同様に、ＡＰ３０５−ｂは、ＷＬＡＮキャリア３４０上の順方向（ダウンリンク）チャネル３５２を介してＵＥ３１５に情報を送信し得る。さらに、ＵＥ３１５は、ＷＬＡＮキャリア３４０の逆方向（アップリンク）チャネル３５４を介してＡＰ３０５−ｂに情報を送信し得る。
【００４２】
[0053]図３ならびに開示する実施形態のいくつかに関連付する他の図の様々なエンティティを説明する際に、説明の目的で、３ＧＰＰ  ＬＴＥまたはＬＴＥ−Ａワイヤレスネットワークと関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００４３】
[0054]マルチキャリア動作中、異なるＵＥ３１５に関連するダウンリンク制御情報（ＤＣＩ）メッセージは、複数のコンポーネントキャリア上で搬送され得る。たとえば、ＰＤＣＣＨ上のＤＣＩは、物理ダウンリンク共有チャネル（ＰＤＳＣＨ：physical downlink shared channel）送信のためにＵＥ３１５によって使用されるように構成された同じコンポーネントキャリア上に含まれ得る（すなわち、同一キャリアシグナリング）。代替または追加として、ＤＣＩは、ＰＤＳＣＨ送信ために使用されるターゲットコンポーネントキャリアとは異なるコンポーネントキャリア上で搬送され得る（すなわち、クロスキャリアシグナリング）。いくつかの実装形態では、半静的に有効化され得るキャリアインジケータフィールド（ＣＩＦ）は、ＰＤＳＣＨ送信のためにターゲットキャリア以外のキャリアからのＰＤＣＣＨ制御シグナリングの送信を可能にするために、一部または全部のＤＣＩフォーマット中に含まれ得る（クロスキャリアシグナリング）。
【００４４】
[0055]本例では、ＵＥ３１５は、１つのｅノードＢ３０５−ａからデータを受信し得る。しかしながら、セルエッジ上のユーザは、データレートを制限する場合がある高いセル間干渉を経験し得る。マルチフローにより、ＵＥは、同時に２つのｅノードＢ３０５−ａからデータを受信することが可能になる。いくつかの態様では、２つのｅノードＢ３０５−ａは、コロケートされないことがあり、キャリアアグリゲーションをサポートするように構成され得る。マルチフローは、ＵＥが同時に２つの隣接するセル中の２つのセルタワーの範囲内にあるとき、２つのまったく別個のストリーム中で２つのｅノードＢ３０５−ａからのデータを送信および受信することによって動作する。ＵＥは、デバイスがいずれかのｅノードＢの到達範囲のエッジ上にあるとき、同時に２つのｅノードＢ３０５−ａと通話する。同時に２つの異なるｅノードＢからモバイルデバイスに２つの独立データストリームをスケジューリングすることによって、マルチフローは、ＨＳＰＡネットワークにおける不均一なローディングを活用する。これは、セルエッジユーザ経験を向上させるのを助けるとともに、ネットワーク容量を増大させる。一例では、セルエッジにおけるユーザ向けのスループットデータ速度が倍になり得る。いくつかの態様では、マルチフローはまた、ＵＥがＷＷＡＮタワー（たとえば、セルラータワー）とＷＬＡＮタワー（たとえば、ＡＰ）との到達範囲内にあるとき、両方のタワーに同時に通話するＵＥの能力を指すことがある。そのような場合、タワーは、タワーがコロケートされないとき、複数の接続を通してキャリアアグリゲーションをサポートするように構成され得る。マルチフローは、デュアルキャリアＨＳＰＡと同様であるＬＴＥ／ＬＴＥ−Ａの特徴であるが、相違がある。たとえば、デュアルキャリアＨＳＰＡは、デバイスに同時に接続するための複数のタワーへの接続性を認めない。
【００４５】
[0056]ＬＴＥ−Ａ規格化において、ＬＴＥコンポーネントキャリア３３０は後方互換であり、これは、新規リリースへの円滑な移行を可能にした。しかしながら、この特徴により、ＬＴＥコンポーネントキャリア３３０は、帯域幅にわたってあらゆるサブフレーム中で共通基準信号（ＣＲＳ、セル固有基準信号とも呼ばれる）を連続的に送信することになった。限られた制御シグナリングのみが送信されているときでもセルがオンのままであり、それにより、電力増幅器がエネルギーを消費し続けるので、大部分のセルサイトエネルギー消費はその増幅器によって生じる。ＣＲＳは、ＬＴＥのリリース８において採り入れられ、ＬＴＥの最も基本的なダウンリンク基準信号である。ＣＲＳは、周波数領域内のすべてのリソースブロック中で、およびすべてのダウンリンクサブフレーム中で送信される。セル中のＣＲＳは、１つ、２つ、または４つの対応するアンテナポート向けであり得る。ＣＲＳは、リモート端末によって、コヒーレントな復調のためのチャネルを推定するのに使われ得る。新規キャリアタイプ（ＮＣＴ）は、５つのサブフレームのうち４つの中でＣＲＳの送信を削除することによって、セルのスイッチオフを一時的に許可する。この特徴は、ＣＲＳが帯域幅にわたるすべてのサブフレーム中でもはや連続しては送信されないので、電力増幅器によって消費される電力、ならびにＣＲＳからのオーバーヘッドおよび干渉を削減する。さらに、新規キャリアタイプにより、ダウンリンク制御チャネルは、ＵＥ固有復調基準シンボルを使って運用されるようになる。新規キャリアタイプは、別のＬＴＥ／ＬＴＥ−Ａキャリアとともにある種の拡張キャリアとして、あるいはスタンドアロンの非後方互換キャリアとして運用され得る。
【００４６】
[0057]ｅＮＢ３０５−ａは、ｅＮＢ３０５−ａに対応するネットワークにデータを通信するためにコンポーネントキャリア３３０−１（および／またはコンポーネントキャリア３３０−１〜３３０−Ｎ）ならびにＷＬＡＮキャリア３４０を利用するようにＵＥ３１５を構成することができる。この点について、トラフィックアグリゲーションは、ｅＮＢ３０５−ａにＷＬＡＮキャリア３４０を介して受信されるトラフィックを通信し、ｅＮＢ３０５−ａからＷＬＡＮキャリア３４０を介してＵＥ３１５にトラフィックを通信するＡＰ３０５−ｂによって与えられる。したがって、ｅＮＢ３０５−ａは、ＵＥ３１５と対応するネットワークとの間の通信を容易にするために、様々なキャリア（少なくともコンポーネントキャリア３３０−１およびＷＬＡＮキャリア３４０）を利用することができる。ＵＥ３１５はまた、ＡＰ３０５−ｂまたは別のＷＬＡＮ  ＡＰに関係する別のネットワークにアクセスするように構成され得る。説明した構成は、ＵＥ３１５の上位レイヤおよび／またはユーザにアグノスティックであり得るので、これは、ＵＥ３１５においてＷＬＡＮについて予想されるネットワーク発見および選択と実際のネットワーク発見および選択との間に矛盾を生じ得る。本明細書で説明する態様は、ＵＥ３１５の動作を定義し、ここで、ＷＬＡＮキャリア３４０は、ＵＥ３１５からｅＮＢ３０５−ａへのトラフィックアグリゲーションをサポートする。
【００４７】
[0058]図４ａは、本開示の一態様による、ＵＥ４１５とパケットデータネットワーク（ＰＤＮ）４４０（たとえば、インターネットまたはインターネットにアクセスするための１つもしくは複数の構成要素）との間のデータ経路４４５および４５０の一例を概念的に示すブロック図である。データ経路４４５、４５０、および４６５は、異なる無線アクセス技術からのデータをアグリゲートするためのワイヤレス通信システム４００のコンテキスト内で示されている。データ経路４５０は、いかなるトラフィックも発展型パケットコア４８０を横断することなしに、ＷＬＡＮ  ＡＰ４０６からＩＰ接続性を直接取得するＵＥ４１５に対応する。データ経路４５０は、非シームレスＷＬＡＮオフローディング（ＮＳＷＯ：Non-Seamless WLAN Offloading）とも呼ばれる。ＵＥ４１５は、１つまたは複数のｅＮＢ４０５、ＷＬＡＮ  ＡＰ４０６ｓ、または他の基地局／アクセスポイントとの（たとえば、１つまたは複数のデータ経路４４５、４５０、４６５を介した）第１の接続と第２の接続とを管理することを含む、本明細書で説明する態様を実行するための通信構成要素５４０を含むことができ、ここで、第１の接続と第２の接続とのうちの少なくとも１つがトラフィックアグリゲーションを実施する。図２のシステム２００は、ワイヤレス通信システム４００の部分の一例であり得る。ワイヤレス通信システム４００は、マルチモードＵＥ４１５と、ｅノードＢ４０５と、ＷＬＡＮ  ＡＰ４０６と、発展型パケットコア（ＥＰＣ）４８０と、ＰＤＮ４４０と、ピアエンティティ４５５とを含み得る。マルチモードＵＥ４１５は、本明細書で説明するキャリアアグリゲーションおよび／またはトラフィックアグリゲーションをサポートするように構成され得る。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ：home subscriber system）４３５は、ＭＭＥ４３０に通信可能に結合され得る。ＵＥ４１５は、ＬＴＥ無線機４２０とＷＬＡＮ無線機４２５とを含み得る。これらの要素は、前または後の図を参照しながら上記で説明したそれらのカウンターパートのうちの１つまたは複数の態様を表し得る。たとえば、ＵＥ４１５は、図１、図２、図３、図４ｂ、図４ｃ、または図５におけるＵＥの一例であり得、ｅノードＢ４０５は、図１、図２、図３、図５、図４ｂ、図４ｃ、または図５のｅノードＢ／基地局の一例であり得、ＡＰ４０６は、図１、図３、図４ｂ、図４ｃ、または図５などのＡＰの一例であり得、ならびに／あるいはＥＰＣ４８０は、図１および／または図７のコアネットワークの一例であり得る。図４ａにおけるｅノードＢ４０５およびＡＰ４０６は、コロケートされないことがあるか、またはさもなければ互いに高速通信していないことがある。
【００４８】
[0059]再び図４ａを参照すると、ｅノードＢ４０５およびＡＰ４０６は、１つまたは複数のＬＴＥコンポーネントキャリアまたは１つもしくは複数のＷＬＡＮコンポーネントキャリアのアグリゲーションを使用して、ＵＥ４１５にＰＤＮ４４０へのアクセスを提供することが可能であり得る。したがって、ＵＥ４１５は、デュアル接続性でのキャリアアグリゲーションを伴い得、ここで、一方の接続は１つのネットワークエンティティ（ｅノードＢ４０５）に対してであり、他方の接続は異なるネットワークエンティティ（ＡＰ４０６または別のｅノードＢ、図示せず）に対してである。ＰＤＮ４４０へのこのアクセスを使用して、ＵＥ４１５は、ピアエンティティ４５５または他のネットワークエンティティと通信し得る。ｅノードＢ４０５は、発展型パケットコア４８０を通して（たとえば、データ経路４４５を通して）ＰＤＮ４４０へのアクセスを与え得、ＷＬＡＮ  ＡＰ４０６は、ｅノードＢ４０５からＷＬＡＮ  ＡＰ４０６へのトラフィックの非シームレスＷＬＡＮオフロード（ＮＳＷＯ）のために使用され得る、（たとえば、データ経路４５０を通した）ＰＤＮ４４０への直接アクセス、またはＷＬＡＮ  ＡＰ４０６に言及するとき、ＷＬＡＮ  ＡＰ４０６によって与えられたＥＰＣ接続性と呼ばれることがある、（たとえば、データ経路４６５を通した）ＥＰＣ４８０の発展型パケットデータゲートウェイ（ｅＰＤＧ：evolved packet data gateway）／信頼できるワイヤレスアクセスゲートウェイ（ＴＷＡＧ：trusted wireless access gateway）４６０を介したＰＤＮ４４０へのアクセスのうちの少なくとも１つを与え得る。たとえば、ＴＷＡＧ／ｅＰＤＧ４６０のＴＷＡＧ部分を介したアクセスは、Ｓ２ａインターフェースを介したものであり得、プロキシモバイルインターネットプロトコル（ＰＭＩＰ：proxy mobile internet protocol）、汎用パケット無線サービス（ＧＰＲＳ：general packet radio service）トンネリングプロトコル（ＧＴＰ）などを使用してＰＧＷ４３４と通信するためにＳ５インターフェースを利用することを含むことができる。さらに、たとえば、ＴＷＡＧ／ｅＰＤＧ４６０のｅＰＤＧ部分を介したアクセスは、Ｓ２ｂインターフェースを介したものであり得、Ｓ５インターフェースを介してＰＭＩＰまたはＧＴＰを使用してＰＧＷ４３４と通信することができるＵＥ４１５とｅＰＤＧ部分との間のインターネットプロトコルセキュリティ（ＩＰSｅｃ：internet protocol security）接続を確立することを含むことができる。
【００４９】
[0060]ＭＭＥ４３０は、ＵＥ４１５とＥＰＣ４８０との間のシグナリングを処理する制御ノードであり得る。概して、ＭＭＥ４３０は、ベアラおよび接続管理を行い得る。ＭＭＥ４３０は、したがって、ＵＥ４１５のためのアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５と通信し得る。ＭＭＥ４３０は、ＵＥ４１５をさらに認証し、ＵＥ４１５との非アクセス層（ＮＡＳ：Non-Access Stratum）シグナリングを実装し得る。
【００５０】
[0061]ＨＳＳ４３５は、機能の中でも、加入者データを記憶し、ローミング制限を管理し、加入者のためのアクセス可能アクセスポイント名（ＡＰＮ）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００５１】
[0062]ＬＴＥを介して送信されるユーザＩＰパケットは、ｅノードＢ４０５を通してＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。ＳＧＷ４３２は、ユーザプレーンに常駐し、ｅノードＢ間ハンドオーバおよび異なる無線アクセス技術間のハンドオーバのためのモビリティアンカーとして働き得る。ＰＤＮゲートウェイ４３４は、ＵＥのＩＰアドレス割振りならびに他の機能を与え得る。
【００５２】
[0063]ＰＤＮゲートウェイ４３４は、ＳＧｉシグナリングインターフェースを介して、ＰＤＮ４４０などの１つまたは複数の外部パケットデータネットワークへの接続性を与え得る。ＰＤＮ４４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００５３】
[0064]本例では、ＵＥ４１５とＥＰＣ４８０との間のユーザプレーンデータは、トラフィックがＬＴＥリンクのデータ経路４４５を介して流れるのか、ＷＬＡＮリンクのデータ経路４５０または４６５を介して流れるのかにかかわらず、１つまたは複数のＥＰＳベアラの同じセットを横断し得る。１つまたは複数のＥＰＳベアラのセットに関係するシグナリングまたは制御プレーンデータは、ｅノードＢ４０５を経由して、ＵＥ４１５のＬＴＥ無線機４２０とＥＰＣ４８０のＭＭＥ４３０との間で送信され得る。
【００５４】
[0065]ＬＴＥに関して図４ａの態様について説明したが、アグリゲーションおよび／または複数の接続に関する同様の態様はまた、ＵＭＴＳまたは他の同様のシステムもしくはネットワークワイヤレス通信無線技術に関して実装され得る。
【００５５】
[0066]図４ｂは、本開示の一態様による、ＵＥ４１５とＥＰＣ４８０との間のデータ経路４４５−ａおよび４４５−ｂの一例を概念的に示すブロック図である。データ経路４４５−ａ、４４５−ｂは、ｅノードＢ４０５とＷＬＡＮ  ＡＰ４０６とのリソースを使用して送信するためのトラフィックをアグリゲートするためのワイヤレス通信システム４０１のコンテキスト内で示されている。これは、たとえば、ｅノードＢ４０５を横断するデータ経路４４５とＷＬＡＮ  ＡＰ４０６を横断するデータ経路４５０および４６５とを有する、図４ａに示されたベアラ構成に対する代替ベアラ構成であり得る。ＵＥ４１５は、１つまたは複数のｅＮＢ４０５、ＷＬＡＮ  ＡＰ４０６ｓ、または他の基地局／アクセスポイントとの（たとえば、１つまたは複数のデータ経路４４５−ａ、４４５−ｂを介した）第１の接続と第２の接続とを管理することを含む、本明細書で説明する態様を実行するための通信構成要素５４０を含むことができ、ここで、第１の接続と第２の接続とのうちの少なくとも１つがトラフィックアグリゲーションを実施する。図２のシステム２００は、ワイヤレス通信システム４０１の部分の一例であり得る。ワイヤレス通信システム４０１は、ＵＥ４１５と、ｅノードＢ４０５と、ＷＬＡＮ  ＡＰ４０６と、発展型パケットコア（ＥＰＣ）４８０と、ＰＤＮ４４０と、ピアエンティティ４５５とを含み得る。トラフィックアグリゲーションは、ｅノードＢ４０５によって制御され得、ＵＥ４１５の上位レイヤにアグノスティックであり得るが、ＵＥ４１５は、本明細書で説明するように、トラフィックアグリゲーションをサポートするように構成され得る。ＵＥ４１５は、ＷＬＡＮ  ＡＰ４０６に加えて、図４ａのｅノードＢ４０５−ａおよび４０５−ｂとも通信することができるマルチモードＵＥであり得るが、そのような構成要素は、説明を簡単にするために省略され得ることを諒解されたい。
【００５６】
[0067]ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ）４３５は、ＭＭＥ４３０に通信可能に結合され得る。ＵＥ４１５は、ＬＴＥ無線機４２０とＷＬＡＮ無線機４２５とを含み得る。ＵＥ４１５が１つまたは複数のそのような無線機を含むことができ、および／または無線機が統合され得ることを諒解されたい。したがって、一例では、ＬＴＥ無線機４２０はまた、ＷＬＡＮ無線機４２５に加えて、ＷＬＡＮ無線機を含むことができ（または、ＷＬＡＮ信号を処理するように構成され得）、この例では、ＵＥ４１５は、ＬＴＥ無線機４２０中のＷＬＡＮインターフェースとＷＬＡＮ無線機４２５中のＷＬＡＮインターフェースとの２つのＷＬＡＮインターフェースを含む。これらの要素は、前または後の図を参照しながら上記で説明したそれらのカウンターパートのうちの１つまたは複数の態様を表し得る。たとえば、ＵＥ４１５は、図１、図２、図３、図４ａ、図４ｃ、または図５におけるＵＥの一例であり得、ｅノードＢ４０５−ａは、図１、図２、図３、図４ａ、図４ｃ、または図５のｅノードＢ／基地局の一例であり得、ＷＬＡＮ  ＡＰ４０６は、図１、図３、図４ａ、図４ｃ、または図５のＡＰの一例であり得、ならびに／あるいはＥＰＣ４８０は、図１および／または図１２のコアネットワークの一例であり得る。
【００５７】
[0068]再び図４ｂを参照すると、ｅノードＢ４０５−ａは、説明したように、１つまたは複数のＬＴＥコンポーネントキャリアに関係し得る、ＰＤＮ４４０へのアクセスをＵＥ４１５に提供することが可能であり得る。ＷＬＡＮ  ＡＰ４０６は、ｅノードＢ４０５を横断することによってＰＤＮ４４０へのアクセスをＵＥ４１５に提供することが可能であり得る。したがって、ｅノードＢ４０５とＷＬＡＮ  ＡＰ４０６とは、ＵＥ４１５からトラフィックをアグリゲートするために通信することができる。したがって、ＵＥ４１５は、トラフィックアグリゲーションに関与し得、ここで、１つの接続は、第１のアクセスポイント（ｅノードＢ４０５）に対するものであり、他の接続は、第２のアクセスポイント（ＷＬＡＮ  ＡＰ４０６）に対するものであり、ここで、第２のアクセスポイントは、ＵＥ４１５のためのトラフィックをアグリゲートするために第１のアクセスポイントと通信する。この構成を使用して、ベアラは、ＥＰＣ４８０とＵＥ４１５のために確立され得、ｅノードＢ４０５および／またはＷＬＡＮ  ＡＰ４０６を介して確立され得る。
【００５８】
[0069]一例では、ベアラ選択が構成され得、ここで、ＵＥ４１５は、ＥＰＣ４０８とｅノードＢ４０５との間と、ＥＰＣ４８０と（ｅノードＢ４０５を介した）ＷＬＡＮ  ＡＰ４０６との間とに確立された別個のベアラを有する。この例では、データトラフィック（たとえば、ＩＰパケット）は、ＵＥ４１５とｅノードＢ４０５／ＷＬＡＮ  ＡＰ４０６との間のキャリアにマッピングすることができるそれぞれのベアラを介して送られ得る。この点について、それぞれのベアラは、所与のキャリアを介してトラフィックを通信するためのパラメータを定義するトラフィックフローテンプレート（ＴＦＴ：traffic flow template）に関連付けられ得る。さらに、この例では、ｅノードＢ４０５とＷＬＡＮ  ＡＰ４０６との間のパケットの並べ替えが必要にならないように、ベアラは、別個のパケットデータコンバージェンスプロトコル（ＰＤＣＰ：packet data convergence protocol）レイヤおよび／または無線リンク制御（ＲＬＣ：radio link control）レイヤを有し得る。
【００５９】
[0070]別の例では、無線リンク制御（ＲＬＣ）／パケットデータコンバージェンスプロトコル（ＰＤＣＰ）レベルのトラフィックアグリゲーションが構成され得、ここで、ＵＥ４１５のベアラは、ＷＬＡＮ  ＡＰ４０６キャリアの場合でもｅノードＢ４０５とＥＰＣ４８０との間にある。この例では、データトラフィック（たとえば、ＩＰパケット）は、ＲＬＣ／ＰＤＣＰレベルでアグリゲートされ、ＵＥ４１５、またはｅノードＢ４０５およびＷＬＡＮ  ＡＰ４０６とのそれぞれのキャリアに通信される。この例では、ｅノードＢ４０５は、ＵＥ４１５へのそれぞれのデータ経路４４５−ｂを介してＷＬＡＮ  ＡＰ４０６から受信されたか、またはＷＬＡＮ  ＡＰ４０６に通信するためのパケットからｅノードＢ４０５におけるパケットを切り離すためにパケットサッチを並べ替え得る。
【００６０】
[0071]ＬＴＥに関して図４ｂの態様について説明したが、アグリゲーションおよび／または複数の接続に関する同様の態様はまた、ＵＭＴＳまたは他の同様のシステムもしくはネットワークワイヤレス通信無線技術に関して実装され得る。
【００６１】
[0072]図４ｃは、本開示の一態様による、ＵＥ４１５とパケットデータネットワーク（ＰＤＮ）４４０（たとえば、インターネットまたはインターネットにアクセスするための１つもしくは複数の構成要素）との間のデータ経路４４５、４５０、および４６５の一例を概念的に示すブロック図である。データ経路４４５−ａ、４４５−ｂ、４５０、４６５は、異なる無線アクセス技術からのデータをアグリゲートするためのワイヤレス通信システム４０２のコンテキスト内で示されている。ＵＥ４１５は、１つまたは複数のｅＮＢ４０５、ＷＬＡＮ  ＡＰ４０６ｓ、または他の基地局／アクセスポイントとの（たとえば、１つまたは複数のデータ経路４４５−ａ、４４５−ｂ、４５０、４６０を介した）複数の接続を管理することを含む、本明細書で説明する態様を実行するための通信構成要素５４０を含むことができ、ここで、複数の接続の少なくとも一部分がトラフィックアグリゲーションを実施する。図２のシステム２００は、ワイヤレス通信システム４０２の部分の一例であり得る。ワイヤレス通信システム４００は、マルチモードＵＥ４１５と、ｅノードＢ４０５と、ＷＬＡＮ  ＡＰ４０６−ａと、ＷＬＡＮ  ＡＰ４０６−ｂと、発展型パケットコア（ＥＰＣ）４８０と、ＰＤＮ４４０と、ピアエンティティ４５５とを含み得る。マルチモードＵＥ４１５は、本明細書で説明するキャリアアグリゲーションおよび／またはトラフィックアグリゲーションをサポートするように構成され得る。
【００６２】
[0073]ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ）４３５は、ＭＭＥ４３０に通信可能に結合され得る。ＵＥ４１５は、ＬＴＥ無線機４２０と２つのＷＬＡＮ無線機４２５−ａおよび４２５−ｂとを含み得る。これらの要素は、前または後の図を参照しながら上記で説明したそれらのカウンターパートのうちの１つまたは複数の態様を表し得る。たとえば、ＵＥ４１５は、図１、図２、図３、図４ｂ、または図５におけるＵＥの一例であり得、ｅノードＢ４０５は、図１、図２、図３、図４ａ、図４ｂ、または図５のｅノードＢ／基地局の一例であり得、ＡＰ４０６−ａ、４０６−ｂは、図１、図３、図４ａ、図４ｂ、または図５などのＡＰの一例であり得、ならびに／あるいはＥＰＣ４８０は、図１および／または図１２のコアネットワークの一例であり得る。図４ｃにおけるｅノードＢ４０５およびＡＰ４０６−ａ、４０６−ｂは、コロケートされることも、コロケートされないこともあるか、またはさもなければ互いに高速通信していることも、互いに高速通信していないこともある。
【００６３】
[0074]再び図４ｃを参照すると、ｅノードＢ４０５およびＡＰ４０６−ａ、４０６−ｂは、１つまたは複数のＬＴＥコンポーネントキャリアまたは１つもしくは複数のＷＬＡＮコンポーネントキャリアのアグリゲーションを使用して、ＵＥ４１５にＰＤＮ４４０へのアクセスを提供することが可能であり得る。したがって、ＵＥ４１５は、複数の接続性でのキャリアアグリゲーションに関与し得、ここで、本明細書で説明するように、１つの接続は、１つのネットワークエンティティ（ｅノードＢ４０５）に対するものであり、１つの接続は、ｅノードＢ４０５を介したトラフィックアグリゲーションのための別のネットワークエンティティ（ＡＰ４０６−ａ）に対するものであり、また別の他の接続は、ＥＰＣ接続性、ＮＳＷＯなどを与える代替接続のための異なるネットワークエンティティ（ＡＰ４０６−ｂ）に対するものである。ＰＤＮ４４０へのこのアクセスを使用して、ＵＥ４１５は、ピアエンティティ４５５と通信し得る。ｅノードＢ４０５は、発展型パケットコア４８０を通して（たとえば、データ経路４４５−ａおよび／または４４５−ｂを通して）ＰＤＮ４４０へのアクセスを与え得る。ＷＬＡＮ  ＡＰ４０６−ａは、１つまたは複数のＷＬＡＮベアラを使用してｅノードＢ４０５をさらに介してＥＰＣ４８０にアクセスするためにＵＥ４１５にトラフィックアグリゲーション接続を与え得る。ＷＬＡＮ  ＡＰ４０６−ｂは、たとえば、データ経路４４５−ａまたは４４５−ｂのうちの１つまたは複数からのトラフィックのＮＳＷＯを与えるために、（たとえば、データ経路４５０を通した）ＰＤＮ４４０への直接アクセス、あるいは、たとえば、ＵＥ４１５にＥＰＣ接続性を与えるために、（たとえば、データ経路４６５を通した）ＥＰＣ４８０の発展型パケットデータゲートウェイ（ｅＰＤＧ）／信頼できるワイヤレスアクセスゲートウェイ（ＴＷＡＧ）４６０を介したＰＤＮ４４０へのアクセスのうちの少なくとも１つを与え得る。
【００６４】
[0075]ＭＭＥ４３０は、ＵＥ４１５とＥＰＣ４８０との間のシグナリングを処理する制御ノードであり得る。概して、ＭＭＥ４３０は、説明したように、ベアラおよび接続管理を行い得る。ＭＭＥ４３０は、したがって、ＵＥ４１５のためのアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５と通信し得る。ＭＭＥ４３０は、ＵＥ４１５をさらに認証し、ＵＥ４１５との非アクセス層（ＮＡＳ）シグナリングを実装し得る。
【００６５】
[0076]ＨＳＳ４３５は、機能の中でも、加入者データを記憶し、ローミング制限を管理し、加入者のためのアクセス可能アクセスポイント名（ＡＰＮ）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００６６】
[0077]ＬＴＥを介して送信されるユーザＩＰパケットは、ｅノードＢ４０５を通してＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。ＳＧＷ４３２は、ユーザプレーンに常駐し、ｅノードＢ間ハンドオーバおよび異なる無線アクセス技術間のハンドオーバのためのモビリティアンカーとして働き得る。ＰＤＮゲートウェイ４３４は、ＵＥのＩＰアドレス割振りならびに他の機能を提供し得る。
【００６７】
[0078]ＰＤＮゲートウェイ４３４は、ＳＧｉシグナリングインターフェースを介して、ＰＤＮ４４０などの１つまたは複数の外部パケットデータネットワークへの接続性を与え得る。ＰＤＮ４４０は、インターネット、イントラネット、ＩＰマルチメディアサブシステム（ＩＭＳ）、パケット交換（ＰＳ）ストリーミングサービス（ＰＳＳ）、および／または他のタイプのＰＤＮを含み得る。
【００６８】
[0079]本例では、ＵＥ４１５とＥＰＣ４８０との間のユーザプレーンデータは、トラフィックがＬＴＥリンクの経路データ４４５−ａを介して流れるのか、トラフィックアグリゲーションリンクの４４５−ｂを介して流れるのか、ＷＬＡＮリンクのデータ経路４５０または４６５を介して流れるのかにかかわらず、１つまたは複数のＥＰＳベアラの同じセットを横断し得る。１つまたは複数のＥＰＳベアラのセットに関係するシグナリングまたは制御プレーンデータは、ｅノードＢ４０５を経由して、ＵＥ４１５のＬＴＥ無線機４２０とＥＰＣ４８０のＭＭＥ４３０との間、ＷＬＡＮ  ＡＰ４０６−ａとｅノードＢ４０５とを経由して、ＵＥ４１５のＷＬＡＮ無線機４２５−ａとＥＰＣのＭＭＥ４３０との間などで送信され得る。
【００６９】
[0080]ＬＴＥに関して図４ｃの態様について説明したが、アグリゲーションおよび／または複数の接続に関する同様の態様はまた、ＵＭＴＳまたは他の同様のシステムもしくはネットワークワイヤレス通信無線技術に関して実装され得る。
【００７０】
[0081]図５は、本開示の一態様に従って構成されたＵＥ５１５および構成要素の一例を概念的に示すブロック図５００である。本明細書において図５と併せて説明する図６〜図１１は、本開示の態様による例示的な方法（６００、７００、８００、９００、１０００、および１１００）を示す。図６〜図１１において以下で説明する動作は、特定の順序でおよび／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、または説明するアクションまたは機能を実行することが可能なハードウェア構成要素および／またはソフトウェア構成要素の任意の他の組合せによって実行され得ることを理解されたい。
【００７１】
[0082]図５を参照すると、ブロック図５００の基地局／ｅノードＢ５０５、ＷＬＡＮ  ＡＰ５０６、およびＵＥ５１５は、様々な図で説明する基地局／ｅノードＢ、ＡＰ、および／またはＵＥのうちの１つであり得る。ｅノードＢ５０５およびＵＥ５１５は、通信リンク５２５を介して通信し得る。ＷＬＡＮ  ＡＰ５０６およびＵＥ５１５は、通信リンク５２６を介して通信し得る。通信リンク５２５、５２６の各々は、図１の通信リンク１２５の一例であり得る。さらに、たとえば、ｅノードＢ５０５は、上記で説明したように、（ＲＡＮアグリゲーションと呼ばれることもある）トラフィックアグリゲーションを構成し、それをＵＥ５１５に与えるためにＷＬＡＮ  ＡＰ５０６と通信することができ、したがって、ｅノードＢ５０５と（ネットワークにおいて通信するためのｅノードＢ５０５との間でトラフィックを受信／提供し得る）ＷＬＡＮ  ＡＰ５０６とを介した無線アクセスを使用することによって、ＵＥ５１５とｅノードＢ５０５に関係するネットワークとの間でトラフィックが通信され得る。
【００７２】
[0083]ＵＥ５１５は、ｅノードＢ５０５によるトラフィックアグリゲーションを実施するためにプロビジョンされ得る。たとえば、ＵＥ５１５は、ＷＷＡＮまたはセルラーネットワークにアクセスするために、関係する無線機（たとえば、ＬＴＥ／ＵＭＴＳ無線機）を使用してｅノードＢ５０５と関係する無線機（たとえば、ＷｉＦｉ無線機）を使用してＷＬＡＮ  ＡＰ５０６との両方と通信するために指定するトラフィックアグリゲーション構成を受信するための通信構成要素５４０を含むことができる。説明したように、トラフィックアグリゲーションは、ＵＥ５１５の下位レイヤ（たとえば、物理（ＰＨＹ）／媒体アクセス制御（ＭＡＣ）レイヤまたはＲＬＣ／ＰＤＣＰレイヤ）中に構成および実装され得、したがって、高レベルオペレーティングシステム（ＨＬＯＳ）、ＨＬＯＳ上で動作するアプリケーション、ユーザインターフェースなどは、トラフィックアグリゲーションの存在にアグノスティックであり得る。したがって、たとえば、ＨＬＯＳ、アプリケーション、ユーザインターフェースなどは、トラフィックアグリゲーションのためにＵＥ５１５がＷＬＡＮ接続を使用していることを知らずにＵＥ５１５のＷＬＡＮ受信機を使用してＷＬＡＮネットワークに接続することが可能であることを予想し得る。したがって、たとえば、ＵＥ５１５についての様々な挙動がそのような場合において定義され得、それの例について、図６〜図１１をさらに参照しながら以下で説明する。
【００７３】
[0084]図６を参照すると、方法６００は、ブロック６１０において、第１のワイヤレスネットワークへの第１の接続を介して第１のＲＡＴを使用して第１のアクセスポイントと通信することを含む。ＵＥ５１５は、第１のネットワークへの第１の接続（たとえば、通信リンク５２５）を介して第１のＲＡＴ（たとえば、ＬＴＥ、ＵＭＴＳなど）を使用して第１のアクセスポイント（たとえば、ｅノードＢ５０５）と通信するための通信構成要素５４０を含む。方法６００はまた、ブロック６１２において、第１のアクセスポイントによって、第１の接続とのトラフィックアグリゲーションを実施するように構成された第２の接続を介して第２のＲＡＴを使用して第２のアクセスポイントと通信することを含む。したがって、通信構成要素５４０はまた、第２の接続（たとえば、通信リンク５２６）を介して第２のＲＡＴ（たとえば、８０２．１１ＷｉＦｉ）を使用して第２のアクセスポイント（たとえば、ＷＬＡＮ  ＡＰ５０６）と通信することができ、ここで、第２の接続は、第１のアクセスポイント（たとえば、ｅノードＢ５０５）から受信された構成に少なくとも部分的に基づいて第１の接続（たとえば、通信リンク５２５）とのトラフィックアグリゲーションを実施するように構成される。たとえば、ｅノードＢ５０５は、ＵＥ５１５がｅノードＢ５０５に関係するネットワークにアクセスするためにｅノードＢ５０５とＷＬＡＮ  ＡＰ５０６との両方と通信するように、ＵＥ５１５のためのトラフィックアグリゲーションを構成することができる。この点について、説明したように、ＷＬＡＮ  ＡＰ５０６は、追加の通信リンク５２６を介して通信リンク５２５とのＵＥ５１５のためのトラフィックアグリゲーションを与えるためにｅノードＢ５０５とＵＥ５１５トラフィックを通信することができる。ＵＥ５１５と１つまたは複数のｅノードＢ、ＷＬＡＮ  ＡＰなどとの間の追加の通信リンクが可能であり、（説明を簡単にするために図示していないが）トラフィックのさらなるアグリゲーションのために与えられ得ることを諒解されたい。
【００７４】
[0085]説明したように、この点についてトラフィックアグリゲーションを与えることは、ｅノードＢ５０５に関係するネットワークとのＵＥ５１５の接続性を改善することができるが、ＷＬＡＮネットワーク発見および選択に矛盾を生じ得、ここで、ＵＥ５１５のＷＬＡＮインターフェースは、トラフィックアグリゲーションのためにＷＬＡＮ  ＡＰ５０６と通信するために使用されている。矛盾は、ＵＥ５１５のＷＬＡＮインターフェースが、ＵＥ５１５の唯一のＷＬＡＮインターフェースであるか、またはＵＥ５１５中の複数のＷＬＡＮインターフェースのうちの１つである場合に生じ得る。したがって、方法６００は、ブロック６１４において、第１の接続とのトラフィックアグリゲーションの実施に少なくとも部分的に基づいて第２の接続を管理することを含む。通信構成要素５４０は、第１の接続（たとえば、通信リンク５２５）とのトラフィックアグリゲーションの実装に少なくとも部分的に基づいて第２のＲＡＴの第２の接続（たとえば、通信リンク５２６）および／または他の接続（たとえば、本明細書でさらに説明する通信リンク５２８）を管理するための接続管理構成要素５６０を含むことができる。たとえば、トラフィックアグリゲーションが実施されるときに第２のＲＡＴ（たとえば、ＷＬＡＮ）を使用する第２の接続および／または他の接続を管理するために、様々な機構が使用され得る。
【００７５】
[0086]図７に、第２のＲＡＴの接続のための決定された優先度に基づいて第１のＲＡＴとの接続のためのトラフィックアグリゲーションを与える第２のＲＡＴとの接続を管理するための例示的な方法７００を示す。方法７００は、ブロック７１０において、第１のワイヤレスネットワークへの第１の接続を介して第１のＲＡＴを使用して第１のアクセスポイントと通信することを含む。ＵＥ５１５は、第１のネットワークへの第１の接続（たとえば、通信リンク５２５）を介して第１のＲＡＴ（たとえば、ＬＴＥ、ＵＭＴＳなど）を使用して第１のアクセスポイント（たとえば、ｅノードＢ５０５）と通信するための通信構成要素５４０を含む。方法７００はまた、ブロック７１２において、第１のアクセスポイントによって、第１の接続とのトラフィックアグリゲーションを実施するように構成された第２の接続を介して第２のＲＡＴを使用して第２のアクセスポイントと通信することを含む。したがって、通信構成要素５４０はまた、説明したように、第１の接続（たとえば、通信リンク５２５）とのトラフィックアグリゲーションを実施するように第１のアクセスポイント（たとえば、ｅノードＢ５０５）によって構成された第２の接続（たとえば、通信リンク５２６）を介して第２のＲＡＴ（たとえば、８０２．１１ＷｉＦｉ）を使用して第２のアクセスポイント（たとえば、ＷＬＡＮ  ＡＰ５０６）と通信することができる。
【００７６】
[0087]方法７００はまた、ブロック７１４において、第２の接続が第２のＲＡＴの１つまたは複数の他の接続よりも優先されるかどうかを決定することに少なくとも部分的に基づいて第２の接続を管理することを含む。接続管理構成要素５６０は、第２の接続が第２のＲＡＴの１つまたは複数の他の接続よりも優先されるかどうかを決定することに少なくとも部分的に基づいて第２の接続を管理することができる。第２のＲＡＴの接続間の優先度が、ＵＥ５１５中に記憶された構成、あるいはＵＥ５１５によって取得された構成から決定され得ることを諒解されたい。
【００７７】
[0088]一例では、通信構成要素５４０は、１つまたは複数のＷＬＡＮ  ＡＰと通信するためのＡＮＤＳＦ構成および／あるいは１つまたは複数の関係するポリシーを取得するためのＡＮＤＳＦ受信構成要素５５０を含む。ＡＮＤＳＦ構成は、ＵＥ５１５中で構成されること、（たとえば、ワイヤレスネットワーク中のＡＮＤＳＦエンティティから受信されたＡＮＤＳＦ管理オブジェクト（ＭＯ：management object）中での）ｅノードＢ５０５からのプロビジョニングに基づいて構成されること、ＵＥ５１５上でのインターフェースの動作によって構成されることなどがあり得る。さらに、この例では、ＡＮＤＳＦ構成またはポリシーは、ｅノードＢ５０５によってプロビジョンされ得るか、あるいは変更され得る。ＡＮＤＳＦは、１つまたは複数のアクティブネットワーク接続をもつＵＥ５１５におけるネットワーク選択のための１つまたは複数のポリシーを含むこと、ＵＥ５１５の近傍内にあり得るネットワークを識別し、それに接続するために情報を発見することなどを行うことができる。通信構成要素５４０はまた、第２のＲＡＴを利用するネットワークを発見し、選択するためのＵＥ５１５上のＡＮＤＳＦ構成またはポリシーを初期化するためのＡＮＤＳＦ構成構成要素５５５を含むことができる。
【００７８】
[0089]したがって、ＷＬＡＮ  ＡＰ５０６との第２の接続を管理することの一例では、ＡＮＤＳＦ受信構成要素５５０は、（たとえば、ＡＮＤＳＦ構成中のすべてのＡＮＤＳＦルールについてまたは明確にＡＮＤＳＦルールごとに）トラフィックアグリゲーションとＡＮＤＳＦルールとの間の優先度を示す１つまたは複数のＡＮＤＳＦ構成または関係するポリシーを受信することができる。一例では、ブロック７１４において第２の接続を管理することの一部として、方法７００は、ブロック７１６において、１つまたは複数の構成されたポリシーに基づいて第２の接続が第２のＲＡＴの１つまたは複数の他の接続よりも優先されるかどうかを決定することを含むことができる。したがって、接続管理構成要素５６０は、１つまたは複数のＡＮＤＳＦ構成中の１つまたは複数の構成されたポリシーに基づいて第２の接続が第２のＲＡＴの１つまたは複数の他の接続よりも優先されるかどうかを決定することができる。たとえば、ＡＮＤＳＦ受信構成要素５５０は、ｅノードＢ５０５、ＷＬＡＮ  ＡＰ５０６、および／または他のネットワーク構成要素から構成または関係するポリシーを受信することができる。この点について、受信されたＡＮＤＳＦ構成に従ってＡＮＤＳＦ構成構成要素５５５がＵＥ５１５を構成すると、接続管理構成要素５６０は、ＡＮＤＳＦ構成中で示される優先度に少なくとも部分的に基づいてＡＰ５０６とのトラフィックアグリゲーション接続あるいはＷＬＡＮ  ＡＰ５０６または別のＷＬＡＮ  ＡＰとの別の接続のための優先度を決定し得、および／またはそれを割り当て得る。
【００７９】
[0090]ブロック７１４において第２の接続を管理する際に、方法７００はまた、ブロック７１８において、１つまたは複数の構成されたポリシーに少なくとも部分的に基づいて１つまたは複数の他の接続を許可しないことを含むことができる。接続管理構成要素５６０は、１つまたは複数の構成されたポリシーに少なくとも部分的に基づいて１つまたは複数の他の接続を許可しないことができる。したがって、上記で説明した例では、通信構成要素５４０が、ｅノードＢ５０５との接続のためにトラフィックアグリゲーションを使用してＷＬＡＮ  ＡＰ５０６と通信しており、通信構成要素５４０が、別のＷＬＡＮ  ＡＰ（またはＷＬＡＮ  ＡＰ５０６によって与えられたＷＬＡＮネットワーク）を検出する場合、接続管理構成要素５６０は、トラフィックアグリゲーション接続を維持し、ＷＬＡＮ接続を許可しないべきかどうか、またはＡＮＤＳＦ構成に基づいてＷＬＡＮネットワークへのＷＬＡＮ接続を可能にすることのほうを優先してトラフィックアグリゲーション接続を終了すべきかどうかを決定することができる。１つのＷＬＡＮ接続がサポートされるとき、接続管理構成要素５６０がこの決定を行うことができることを諒解されたい（そうでない場合、本明細書でさらに説明するように、接続管理構成要素５６０は、トラフィックアグリゲーション接続と１つまたは複数のＷＬＡＮ接続とを許可し得る）。たとえば、これは、１つの使用可能なまたは有効なＷＬＡＮインターフェースを有するＵＥ５１５の機能であり得る。
【００８０】
[0091]たとえば、この点について、ＡＮＤＳＦは、トラフィックアグリゲーションが使用中であるとき、トラフィックアグリゲーションを優先すべきであるかどうかの指示を含むように拡張され得る。トラフィックアグリゲーションを優先すべきであることを指示が示す場合、たとえば、接続管理構成要素５６０は、第２の接続を管理する際に本明細書で説明する他のソリューションを適用することができる。そのような設定がない場合、トラフィックアグリゲーションのための接続が優先されると仮定され得る。一例では、指示ＲＡＮ＿Ａｇｇｒｅｇａｔｉｏｎ＿Ｐｒｉｏｒｉｔｙが、ＡＮＤＳＦ受信構成要素５５０によって受信されたＡＮＤＳＦ  ＭＯ中に含まれ得る。この設定は、それぞれのＡＮＤＳＦ  ＭＯ中にホームパブリックランドモバイルネットワーク（ＨＰＬＭＮ：home public land mobile network）または訪問先パブリックランドモバイルネットワーク（ＶＰＬＭＮ：visited public land mobile network）によって与えられ得る。
【００８１】
[0092]１つのオプションでは、ＲＡＮ＿Ａｇｇｒｅｇａｔｉｏｎ＿Ｐｒｉｏｒｉｔｙは、ＡＮＤＳＦ受信構成要素５５０によって受信されたすべてのＡＮＤＳＦ  ＭＯルールに適用される。そのような場合、第２の接続がトラフィックアグリゲーション接続である（たとえば、ＲＡＮアグリゲーションがアクティブである）とき、トラフィックアグリゲーションの選好を示すようにＲＡＮ＿Ａｇｇｒｅｇａｔｉｏｎ＿Ｐｒｉｏｒｉｔｙが設定される場合、接続管理構成要素５６０は、他の接続を管理する際に、たとえば、他のＷＬＡＮネットワークへの接続を開始すべきかどうかを決定する際にいかなるＡＮＤＳＦルールも有効またはアクティブと見なさない。ＶＰＬＭＮ  ＡＮＤＳＦ  ＭＯが使用されている場合、これにより、ＵＥがＨＰＬＭＮ  ＡＮＤＳＦ  ＭＯのルールを使用することになり得る。
【００８２】
[0093]別のオプションでは、ＡＮＤＳＦ受信構成要素５５０によって受信されたＡＮＤＳＦ  ＭＯルールごとに異なるＲＡＮ＿Ａｇｇｒｅｇａｔｉｏｎ＿Ｐｒｉｏｒｉｔｙが与えられ得る。したがって、一例では、ある接続のアクティブ化または非アクティブ化が、異なる挙動を有する異なるルールに適用され得る。したがって、たとえば、ブロック７１４において第２の接続を管理することは、ブロック７２０において、１つまたは複数の接続のアクティブ化／非アクティブ化を検出することに基づいて１つまたは複数のポリシーを再構成すべきかどうかを決定することを含み得る。この例では、ＵＥ５１５中に随意に含まれるＡＮＤＳＦ再構成構成要素５７０は、第２の接続によって実施されるトラフィックアグリゲーションのアクティブ化または非アクティブ化をＵＥ５１５中の随意のトラフィックアグリゲーション検出構成要素５６５が検出するので、有効性についてＡＮＤＳＦルールを再評価し得、したがって、１つまたは複数の接続のアクティブ化／非アクティブ化を検出することに基づいて１つまたは複数のポリシーを再構成すべきかどうかを決定し得る。そのような場合、トラフィックアグリゲーションがアクティブであるとき、接続管理構成要素５６０によって、ＡＮＤＳＦ受信構成要素５５０によって受信されたＡＮＤＳＦルール中のＲＡＮ＿Ａｇｇｒｅｇａｔｉｏｎ＿Ｐｒｉｏｒｉｔｙをトラフィックアグリゲーションの選好を示すように設定すると決定される場合、接続管理構成要素５６０は、ＷＬＡＮ  ＡＰへの他の接続を管理する際にＡＮＤＳＦルールを有効と見なさず、したがって、ＷＬＡＮ  ＡＰ５０６とのトラフィックアグリゲーション接続を優先する。
【００８３】
[0094]また別のオプションでは、ＡＮＤＳＦ受信構成要素５５０によって受信されたＡＮＤＳＦ  ＭＯルールごとに異なるＲＡＮ＿Ａｇｇｒｅｇａｔｉｏｎ＿Ｐｒｉｏｒｉｔｙが与えられ得、ＡＮＤＳＦルールが、トラフィックアグリゲーションのアクティブ化または非アクティブ化によりＡＮＤＳＦ再構成構成要素５７０によって有効性について再評価されないと仮定され得る。そのような場合、トラフィックアグリゲーションが第２の接続を介してアクティブであるとき、有効なＡＮＤＳＦルール中のＲＡＮ＿Ａｇｇｒｅｇａｔｉｏｎ＿Ｐｒｉｏｒｉｔｙがトラフィックアグリゲーションの選好を示すように設定されると接続管理構成要素５６０が決定する場合、接続管理構成要素５６０は、他のＷＬＡＮ  ＡＰへの他の接続を管理する際にＡＮＤＳＦルールをアクティブと見なさないことがある。
【００８４】
[0095]さらに、第２の接続を管理することが、第２のＲＡＴを使用して可能な接続性について報告すべき他のネットワークを決定することを含む場合、方法７００は、ブロック７２２において、第２の接続が１つまたは複数の他の接続よりも優先されると決定することに基づいて第２のＲＡＴの他のネットワークの利用可能性を報告することを控えることを含み得る。ネットワーク報告構成要素５７５は、第２の接続（たとえば、トラフィックアグリゲーション接続）が１つまたは複数の他の接続よりも優先されると決定することに基づいて第２のＲＡＴの他のネットワークの利用可能性を報告することを控え得る。したがって、以下でさらに説明するように、ＨＬＯＳは、第２の接続がアクティブ化される間に優先度に基づいてＵＥ５１５が第２のＲＡＴを介したアクセスを開始することができる可能な接続として１つまたは複数の他の接続を受信しないことがある。
【００８５】
[0096]図８に、第２のＲＡＴまたは他のＲＡＴの接続のための決定された優先度に基づいて第１のＲＡＴとの接続のためのトラフィックアグリゲーションを与える第２のＲＡＴとの接続を管理するための例示的な方法８００を示す。方法８００は、ブロック８１０において、第１のワイヤレスネットワークへの第１の接続を介して第１のＲＡＴを使用して第１のアクセスポイントと通信することを含む。ＵＥ５１５は、第１のネットワークへの第１の接続（たとえば、通信リンク５２５）を介して第１のＲＡＴ（たとえば、ＬＴＥ、ＵＭＴＳなど）を使用して第１のアクセスポイント（たとえば、ｅノードＢ５０５）と通信するための通信構成要素５４０を含む。方法８００はまた、ブロック８１２において、第１のアクセスポイントによって、第１の接続とのトラフィックアグリゲーションを実施するように構成された第２の接続を介して第２のＲＡＴを使用して第２のアクセスポイントと通信することを含む。したがって、通信構成要素５４０はまた、説明したように、第１の接続（たとえば、通信リンク５２５）とのトラフィックアグリゲーションを実施するように第１のアクセスポイント（たとえば、ｅノードＢ５０５）によって構成された第２の接続（たとえば、通信リンク５２６）を介して第２のＲＡＴ（たとえば、８０２．１１ＷｉＦｉ）を使用して第２のアクセスポイント（たとえば、ＷＬＡＮ  ＡＰ５０６）と通信することができる。
【００８６】
[0097]方法８００はまた、ブロック８１４において、第２のＲＡＴの接続が１つまたは複数の他のＲＡＴの接続よりも優先されるかどうかを決定することに少なくとも部分的に基づいて第２の接続を管理することを含む。接続管理構成要素５６０は、第２のＲＡＴの接続が１つまたは複数の他のＲＡＴの接続よりも優先されるかどうかを決定することに少なくとも部分的に基づいて第２の接続を管理することができる。複数のＲＡＴの接続間の優先度が、ＵＥ５１５中に記憶された構成、あるいはＵＥ５１５によって取得された構成から決定され得ることを諒解されたい。
【００８７】
[0098]一例では、ＡＮＤＳＦ構成は、ＡＮＤＳＦルールにおいて使用され得るＲＡＴタイプとしてトラフィックアグリゲーションを示し得る。この例では、ＡＮＤＳＦルールは、異なるＲＡＴ間、たとえば、３ＧＰＰ対ＷＬＡＮ、ＬＴＥ対ＷＬＡＮ、およびそれらの組合せの選好の指示を含み得る（たとえば、ＬＴＥがＷＬＡＮより好ましいが、ＷＬＡＮがユニバーサルモバイル電気通信システム（ＵＭＴＳ）地上波ＲＡＮ（ＵＴＲＡＮ）より好ましい）。さらに、トラフィックアグリゲーションのための識別子は、好ましいＲＡＴのリスト中でサポートされ得る。したがって、ＡＮＤＳＦ受信構成要素５５０は、１つまたは複数のルール中で多くの異なるＲＡＴのうちの１つとしてトラフィックアグリゲーションを指定するＡＮＤＳＦ構成を受信し得る。たとえば、ＡＮＤＳＦ構成は、発展型ＵＴＲＡＮ（Ｅ−ＵＴＲＡＮ）に勝るトラフィックアグリゲーションの選好、ＷＬＡＮに勝るＥ−ＵＴＲＡＮの選好などを指定し得る。したがって、ブロック８１４において第２の接続を管理することは、ブロック８１６において、１つまたは複数の構成されたポリシーに基づいて、第２のＲＡＴの接続が１つまたは複数の他のＲＡＴの接続よりも優先されるかどうかを決定することを含み得る。この点について、接続管理構成要素５６０は、第２のＲＡＴの接続が１つまたは複数の他のＲＡＴの接続よりも優先されるかどうかを決定することによって、第２の接続を管理することができる。さらに、ブロック８１４において第２の接続を管理することは、ブロック８１８において、１つまたは複数の構成されたポリシーに少なくとも部分的に基づいて１つまたは複数の他のＲＡＴの接続を許可しないことを含み得る。接続管理構成要素５６０は、１つまたは複数の構成されたポリシーに少なくとも部分的に基づいて１つまたは複数の他のＲＡＴの接続を許可しないことができる。したがって、たとえば、接続管理構成要素５６０は、トラフィックアグリゲーション（たとえば、第２のＲＡＴ）を維持し、他のＲＡＴタイプ（たとえば、非トラフィックアグリゲーションタイプ）を介した他の接続を許可しないか、あるいは他のＲＡＴタイプに勝るトラフィックアグリゲーションの選好を指定するルールのうちの１つまたは複数に基づいて、異なるＲＡＴタイプのネットワークに遭遇するときにトラフィックアグリゲーションを無効化するように第２の接続サッチを管理することができる。
【００８８】
[0099]ＡＮＤＳＦ受信構成要素５５０は、トラフィックアグリゲーションがＷＬＡＮ接続に勝る優先度を有することを示すＡＮＤＳＦルールを受信し、ＡＮＤＳＦ構成構成要素５５５が、それを構成し、ＵＥ５１５が、（たとえば、利用可能な単一のＷＬＡＮ無線機または単一のＷＬＡＮインターフェースを有することによって）ただ１つのＷＬＡＮ接続をサポートするとき、ＵＥ５１５が、説明したように、通信リンク５２６を介したトラフィックアグリゲーションのためにＷＬＡＮインターフェースを使用しているとき、ＡＮＤＳＦポリシーは適用されないことがある。この点について、ブロック６１４において、第２の接続を管理することは、方法７００のブロック７２２において上記で説明したように、上位レイヤに第２のＲＡＴのインターフェースおよび／または第２のＲＡＴの１つまたは複数の検出されたネットワークの利用可能性を報告することを控えることを含み得る。この機能を保証するために、たとえば、ＵＥ５１５は、ＵＥ５１５の上位レイヤ（たとえば、ＨＬＯＳ、アプリケーション、インターフェースまたは同様のレイヤ）にＷＬＡＮインターフェースの利用可能性を報告することを控えるためのネットワーク報告構成要素５７５を含むことができる。したがって、これらのレイヤにおいて動作し得るＡＮＤＳＦルールが、利用可能ないかなるＷＬＡＮインターフェースも検出することができないことがあり、いかなるＷＬＡＮインターフェースも発見または選択しようと試みないか、あるいはＷＬＡＮ上でトラフィックをステアリングしようと試みない。別の例では、このシナリオでは、ネットワーク報告構成要素５７５は、ＡＮＤＳＦ機能にとって利用可能なあらゆるＷＬＡＮネットワークを報告することを控えることができる。ネットワーク報告構成要素５７５は、通信のためのネットワークのうちの１つまたは複数を選択することを可能にするために、ＨＬＯＳ、アプリケーション、インターフェースなどにＷＬＡＮインターフェースおよび／あるいは１つまたは複数のネットワークの存在を報告することができることを諒解されたい。したがって、インターフェースおよび／または任意のネットワークの利用可能性を報告することを控えるネットワーク報告構成要素５７５は、少なくともトラフィックアグリゲーションがアクティブである間はＷＬＡＮネットワークが選択されないことを保証することができる。
【００８９】
[00100]したがって、トラフィックアグリゲーションがアクティブ化されているという指示を通信構成要素５４０においてｅノードＢ５０５から受信すると、ブロック６１４において、第２の接続を管理することは、ネットワーク報告構成要素５７５が第２のＲＡＴ（たとえば、ＷＬＡＮ）の任意のネットワークの利用可能性を上位レイヤに報告することを控えることを含むことができるか、あるいは第２のＲＡＴインターフェースの利用可能性を報告することをまったく控え得る。さらに、この点について、通信構成要素５４０が、トラフィックアグリゲーションが停止されるという指示をｅノードＢ５０５から受信し得、この例では、ネットワーク報告構成要素５７５は、（少なくとも、トラフィックアグリゲーションがアクティブ化されるという別の指示がｅノードＢから受信されるまで）ＷＬＡＮインターフェースの利用可能性および／またはＡＮＤＳＦ受信構成要素５５０によって受信されたＡＮＤＳＦ構成に従ってどのＷＬＡＮネットワークがＨＬＯＳ、アプリケーション、インターフェースなどにとって利用可能であるのかを報告することを継続することができる。これらの例では、ＷＬＡＮ  ＡＰ５０６が、トラフィックアグリゲーション接続ならびにＷＬＡＮネットワークへの接続を与えるように構成され得ることを諒解されたい。一例では、各タイプの接続は、それぞれのサービスセット識別子（ＳＳＩＤ）あるいは通信リンク５２６を確立するために通信構成要素５４０が利用する接続についての他の広告されたかまたは広告されない構成パラメータを含むことができる。
【００９０】
[00101]図９に、ＲＡＴを使用して１つまたは複数の他の接続を開始するという指示を受信することに基づいてＲＡＴを使用する接続を無効化するための例示的な方法９００を示す。方法９００は、ブロック９１０において、第１のワイヤレスネットワークへの第１の接続を介して第１のＲＡＴを使用して第１のアクセスポイントと通信することを含む。ＵＥ５１５は、第１のネットワークへの第１の接続（たとえば、通信リンク５２５）を介して第１のＲＡＴ（たとえば、ＬＴＥ、ＵＭＴＳなど）を使用して第１のアクセスポイント（たとえば、ｅノードＢ５０５）と通信するための通信構成要素５４０を含む。方法９００はまた、ブロック９１２において、第１のアクセスポイントによって、第１の接続とのトラフィックアグリゲーションを実施するように構成された第２の接続を介して第２のＲＡＴを使用して第２のアクセスポイントと通信することを含む。したがって、通信構成要素５４０はまた、説明したように、第１の接続（たとえば、通信リンク５２５）とのトラフィックアグリゲーションを実施するように第１のアクセスポイント（たとえば、ｅノードＢ５０５）によって構成された第２の接続（たとえば、通信リンク５２６）を介して第２のＲＡＴ（たとえば、８０２．１１ＷｉＦｉ）を使用して第２のアクセスポイント（たとえば、ＷＬＡＮ  ＡＰ５０６）と通信することができる。
【００９１】
[00102]方法９００はまた、ブロック９１４において、第２の接続を無効化し、第２のＲＡＴを使用して１つまたは複数の他の接続を開始するという指示を受信することに少なくとも部分的に基づいて１つまたは複数の他の接続をアクティブ化することを含む。接続管理構成要素５６０は、第２の接続を無効化し、第２のＲＡＴを使用して１つまたは複数の他の接続をアクティブ化するように第２の接続を管理することができる。たとえば、接続管理構成要素５６０は、ＵＥ５１５のＨＬＯＳ、アプリケーション、インターフェースなどからのＷＬＡＮネットワークの選択によってトラフィックアグリゲーション接続のオーバーライドを可能にすることを決定することができる。たとえば、ネットワーク選択構成要素５８０は、ＵＥ５１５のＨＬＯＳ、アプリケーション、インターフェースなどによる１つまたは複数のネットワークの選択を可能にし得、ここで、ネットワークの指示は、ＡＮＤＳＦポリシーまたはルールに少なくとも部分的に基づいてネットワークを検出するネットワーク報告構成要素５７５よって与えられ得る。ネットワーク選択構成要素５８０を介したネットワークの選択は、（たとえば、第２のＲＡＴを介した）ネットワークとの１つまたは複数の接続を開始するという指示を受信することを含むことができ、接続管理構成要素５６０は、相応して、１つまたは複数の接続をアクティブ化することのほうを優先してトラフィックアグリゲーション接続が無効化されるように、ネットワークまたは第２のＲＡＴの別のネットワーク（たとえば、ＷＬＡＮネットワーク）とのトラフィックアグリゲーションをオーバーライドし得る。この例では、ＡＮＤＳＦルールは、優先度またはトラフィックアグリゲーションＲＡＴタイプを示さないことがある。
【００９２】
[00103]たとえば、ブロック９１４において第２の接続を無効化することは、ブロック９１６において、インターフェース選択または第２のＲＡＴの１つまたは複数のポリシーから指示を受信することを含む。接続管理構成要素５６０は、インターフェース選択または第２のＲＡＴの１つまたは複数のポリシーから指示を受信することができる。一例では、ネットワークとの１つまたは複数の接続を開始するという指示は、利用可能な第２のＲＡＴネットワークのリストを表示するＵＥ５１５上でのインターフェース選択から受信され得る。選択が受信されると、たとえば、接続管理構成要素５６０は、キャンセルを示すか、またはトラフィックアグリゲーションがより優先度が低いことを示すメッセージをｅノードＢ５０５に送ることによってトラフィックアグリゲーション接続を無効化することができる。さらに、ブロック９１４において第２の接続を無効化することは、ブロック９１８において、トラフィックアグリゲーションを無効化するために第１のアクセスポイントにメッセージを送ることによって第２の接続を無効化することを含み得る。接続管理構成要素５６０は、トラフィックアグリゲーションを無効化するために第１のアクセスポイント（たとえば、ｅノードＢ５０５）にメッセージを送ることによってディセーブル第２の接続を無効化し得る。一例では、接続管理構成要素５６０は、１つまたは複数の他の接続を開始するという指示によりトラフィックアグリゲーションがキャンセルされていることを示す原因コードを指定することができる。したがって、接続管理構成要素５６０は、別のトラフィックアグリゲーション接続が確立され得ることを示すために１つまたは複数の接続が終了されると、第１のアクセスポイントに別の指示をさらに送るように構成され得る。
【００９３】
[00104]この点について、ＵＥ５１５が１つのＷＬＡＮ接続をサポートする場合、ＵＥ５１５中の上位レイヤがネットワーク選択構成要素５８０を介した接続性のためにＷＬＡＮを選択すると、トラフィックアグリゲーションが（たとえば、通信リンク５２６を終了することによって）アクティブである場合、接続管理構成要素５６０は、トラフィックアグリゲーションを中止することによって、（たとえば、ブロック６１４において）第２の接続を管理することができる。この例では、上位レイヤが、（たとえば、ネットワーク選択構成要素５８０を介して）選択されたＷＬＡＮ接続を解放するとき、またはネットワーク選択構成要素５８０によって検出され得る、上位レイヤによって選択されたＷＬＡＮ接続がもはや利用可能でないとき、接続管理構成要素５６０は、通信構成要素５４０においてトラフィックアグリゲーションを再開し得る。
【００９４】
[00105]特定の例では、ＵＥ５１５がトラフィックアグリゲーションのためのＷＬＡＮ１に接続され、トラフィックアグリゲーションが通信リンク５２６を介してアクティブである場合、ＷＬＡＮ１とは異なるＷＬＡＮ２が選択されるという指示を上位レイヤから受信すると、接続管理構成要素５６０は、トラフィックアグリゲーションを停止することができる（代替として、ユーザまたはＨＬＯＳが、ネットワーク報告構成要素５７５を介して利用可能なＷＬＡＮを探索するためにＷＬＡＮインターフェースの使用を開始しようと試みると、トラフィックアグリゲーションが停止し得る）。さらに、この例では、接続管理構成要素５６０は、通信リンク５２６を介したＷＬＡＮ１とのトラフィックアグリゲーションを停止するためにｅノードＢ５０５にメッセージを送り得る。さらに、たとえば、接続管理構成要素５６０は、随意に、ＷＬＡＮネットワーク選択のオーバーライドによりトラフィックアグリゲーションが停止されていることを示すためにトラフィックアグリゲーションを停止するためにメッセージ中に理由原因を与えることができる。したがって、この例では、トラフィックアグリゲーションを停止するという指示をＵＥ５１５から受信し、ＷＬＡＮ選択のオーバーライドによりトラフィックアグリゲーションが停止されているという指示が含まれると、ｅノードＢ５０５は、（たとえば、ＷＬＡＮ２との接続が終了される場合）ＵＥ５１５がトラフィックアグリゲーションを再開することが可能であるという指示をＵＥ５１５から受信するまで、ＵＥ５１５においてトラフィックアグリゲーションをアクティブ化しようと試みることを控えることができる。たとえば、ＷＬＡＮ１が、トラフィックアグリゲーションを与えるＷＬＡＮ  ＡＰ５０６におけるインターフェースであり得、ＷＬＡＮ２が、ＷＬＡＮネットワークへのアクセスを与えるＷＬＡＮ  ＡＰ５０６における別のインターフェースのうちの少なくとも１つ、または完全に別のＷＬＡＮ  ＡＰ（たとえば、随意のＷＬＡＮ  ＡＰ５０８）であり得ることを諒解されたい。
【００９５】
[00106]図１０に、ＲＡＴを使用して１つまたは複数の他の接続を開始するという指示を受信することに基づいてＲＡＴを使用する接続を無効化するための例示的な方法１０００を示す。方法１０００は、ブロック１０１０において、第１のワイヤレスネットワークへの第１の接続を介して第１のＲＡＴを使用して第１のアクセスポイントと通信することを含む。ＵＥ５１５は、第１のネットワークへの第１の接続（たとえば、通信リンク５２５）を介して第１のＲＡＴ（たとえば、ＬＴＥ、ＵＭＴＳなど）を使用して第１のアクセスポイント（たとえば、ｅノードＢ５０５）と通信するための通信構成要素５４０を含む。方法１０００はまた、ブロック１０１２において、第１のアクセスポイントによって、第１の接続とのトラフィックアグリゲーションを実施するように構成された第２の接続を介して第２のＲＡＴを使用して第２のアクセスポイントと通信することを含む。したがって、通信構成要素５４０はまた、説明したように、第１の接続（たとえば、通信リンク５２５）とのトラフィックアグリゲーションを実施するように第１のアクセスポイント（たとえば、ｅノードＢ５０５）によって構成された第２の接続（たとえば、通信リンク５２６）を介して第２のＲＡＴ（たとえば、８０２．１１ＷｉＦｉ）を使用して第２のアクセスポイント（たとえば、ＷＬＡＮ  ＡＰ５０６）と通信することができる。
【００９６】
[00107]方法１０００はまた、ブロック１０１４において、第１の接続または第２の接続からのトラフィックオフロードのために第３の接続を利用することによって第２のＲＡＴを使用する第３のアクセスポイントとの第３の接続を管理するとともに、第２の接続が、第２のＲＡＴの１つまたは複数の他の接続よりも優先されるかどうかを決定することに少なくとも部分的に基づいて第２の接続を管理することを含む。接続管理構成要素５６０は、第１の接続または第２の接続からのトラフィックオーバーロードのための第３の接続とともに、第２の接続が第２のＲＡＴの１つまたは複数の他の接続よりも優先されるかどうかを決定することに少なくとも部分的に基づいて第２の接続を管理することができる。したがって、ＵＥ５１５は、異なる無線機を使用して第２のＲＡＴの２つのネットワーク（たとえば、２つのＷＬＡＮネットワーク）に接続することが可能であり得る。この点について、たとえば、接続管理構成要素５６０は、（たとえば、説明したように、ＮＳＷＯ、ＥＰＣ接続性などのための）通信リンク５２８を使用した随意のＷＬＡＮ  ＡＰ５０８への別のＷＬＡＮ接続をも可能にしながら、通信リンク５２６を使用したＷＬＡＮ  ＡＰ５０６とのトラフィックアグリゲーション接続と通信リンク５２５を介したｅノードＢ５０５への接続とを維持し得る。この例では、ブロック１０１４において、第２の接続を管理することは、他の接続をどのように構成するのか、第２のＲＡＴの第２の接続（たとえば、通信リンク５２６）および他の接続（たとえば、通信リンク５２８）を介してトラフィックをどのようにステアリングするのかなどを決定することを含むことができる。特定の一例では、接続管理構成要素５６０は、パケットコアアクセスではなくトラフィックをオフロードするように追加の接続を構成することができ、ここで、トラフィックアグリゲーションリンクが、アクティブであり、パケットコアアクセスを与える。次いで、接続管理構成要素５６０は、相応して、第２の接続および追加の接続を介してトラフィックをステアリングすることができる。
【００９７】
[00108]したがって、ブロック１０１４において第２の接続および第３の接続を管理することは、ブロック１０１６において、第１のワイヤレスネットワークへのパケットコアアクセスをサポートする第３のアクセスポイントの能力を通知することを控えることを含むことができる。接続管理構成要素５６０は、第１のネットワークへのパケットコアアクセスをサポートする第３のアクセスポイントの能力を通知することを控えることができる。したがって、第３のアクセスポイントは、第２のＲＡＴを介してトラフィックをオフロードするために使用されるので、さらにパケットコアアクセスをサポートし得ない。通知することを控えることは、パケットコアアクセスをサポートする第３のアクセスポイントの能力をＨＬＯＳなどの上位レイヤアプリケーションに通知することを控えることを含み得る。さらに、この点について、ブロック１０１４において第２の接続および第３の接続を管理することは、ブロック１０１８において、第３の接続のための第３のアクセスポイントを選択する際に第１のワイヤレスネットワークへのパケットコアアクセスをサポートする第３のアクセスポイントの能力を検討することを控えることを含み得る。接続管理構成要素５６０は、第３の接続のための第３のアクセスポイントを選択する際に第１のワイヤレスネットワークへのパケットコアアクセスをサポートする第３のアクセスポイントの能力を検討することを控えることができる。さらに、この点について、ブロック１０１４において第２の接続および第３の接続を管理することは、ブロック１０２０において、第３の接続のための第３のアクセスポイントを選択する際に第１のワイヤレスネットワークへのパケットコアアクセスをサポートする発見されたアクセスポイントの能力を検討することを控えることを含み得る。接続管理構成要素５６０は、第３の接続のための第３のアクセスポイントを選択する際に第１のワイヤレスネットワークへのパケットコアアクセスをサポートする任意の発見されたアクセスポイントの能力を検討することを控えることができる。
【００９８】
[00109]特定の例では、ＵＥ５１５が、複数のＷＬＡＮネットワークに接続することが可能であるとき、接続管理構成要素５６０は、ＷＬＡＮ  ＡＰ５０６からアクセス可能なＷＬＡＮネットワークに関係することができるＷＬＡＮ２、または随意のＷＬＡＮ  ＡＰ５０８からアクセス可能なＷＬＡＮネットワークに関係することができるＷＬＡＮ３を選択し、それに接続し得る。そのようなシナリオでは、接続管理構成要素５６０は、ＮＳＷＯ中でＷＬＡＮ２に接続し、次いで、たとえば、ＷＬＡＮ２またはＷＬＡＮ３にトラフィック選択をステアリングするためにＡＮＤＳＦを使用し得る。
【００９９】
[00110]一例では、ＡＮＤＳＦ受信構成要素５５０によって受信されたＡＮＤＳＦ  ＭＯは、ＥＰＣ接続性（たとえば、Ｓ２ａ接続性）を与えるネットワークを選好するように構成され、ＷＬＡＮ２またはＷＬＡＮ３がＥＰＣ接続性を可能にする。この例では、接続管理構成要素５６０が、トラフィックアグリゲーションのために、ＷＬＡＮ  ＡＰ５０６への通信リンク５２６を介したトラフィックアグリゲーションに関係することができるＷＬＡＮ１を使用しており、ＵＥ５１５が複数のＷＬＡＮネットワークに接続することができるときに、上位レイヤ（たとえば、ＨＬＯＳ、アプリケーションインターフェース、ＡＮＤＳＦなど）がＷＬＡＮ２またはＷＬＡＮ３への接続性をトリガする場合、ＡＮＤＳＦ受信構成要素５５０によって受信されたＡＮＤＳＦ  ＭＯが、ＥＰＣ接続性をサポートするネットワークを選好するように構成され、ＷＬＡＮ２およびＷＬＡＮ３がＥＰＣ接続性をサポートする場合でも、接続管理構成要素５６０は、ＮＳＷＯのためにＷＬＡＮ２またはＷＬＡＮ３に接続し得る。この例では、接続管理構成要素５６０は、ＥＰＣ接続性サポートが与えられるかどうかを検討することを控える。これは、ＵＥ５１５がトラフィックアグリゲーションによってＥＰＣ接続性をもつＷＬＡＮ１に接続されるので、生じ得る。たとえば、接続管理構成要素５６０が、ＷＬＡＮ１とのトラフィックアグリゲーションを使用しており、ＥＰＣ接続性をサポートするＷＬＡＮネットワークを選好するようにＡＮＤＳＦによって構成される場合、ネットワーク報告構成要素５７５がＥＰＣ接続性をサポートするＷＬＡＮネットワークを発見すると、接続管理構成要素５６０は、そのようなネットワークがＥＰＣ接続性をサポートすることを上位レイヤに示さないことがある。
【０１００】
[00111]代替的に、接続管理構成要素５６０が、ＷＬＡＮ１とのトラフィックアグリゲーションを使用しており、受信されたＡＮＤＳＦルールが、ＥＰＣ接続性をサポートするＷＬＡＮネットワークを選好することを示す場合、接続管理構成要素５６０は、第２の接続に関して他の接続を管理する際にどの利用可能なＷＬＡＮネットワークがＥＰＣ接続性をサポートするのかについてのＷＬＡＮネットワーク選択を実行するときにＥＰＣをサポートするＷＬＡＮネットワークの選好のための指示を検討しないことがある。代替的に、接続管理構成要素５６０が、ＷＬＡＮ１とのトラフィックアグリゲーションを使用しており、ＥＰＣ接続性をサポートするＷＬＡＮネットワークを選好するように構成される場合、ＷＬＡＮネットワーク選択を実行するとき、接続管理構成要素５６０は、ＷＬＡＮネットワーク選択のためのファクタのうちの１つとしてＥＰＣ接続性を検討しないことがある。これにより、接続管理構成要素５６０は、ＥＰＣ接続性ＷＬＡＮ接続としてＷＬＡＮ  ＡＰ５０６へのトラフィックアグリゲーション接続を活用することが可能になり、したがって、他の目的（たとえば、ＮＳＷＯ）のために他のＷＬＡＮネットワークに接続することが可能になる。
【０１０１】
[00112]上記の例がまた、第２のＲＡＴの他の接続に勝るトラフィックアグリゲーションの優先度がベアラごとにサポートされ得るように適用され得ることを諒解されたい。ＵＥが、１つのＷＬＡＮ接続をサポートし、トラフィックアグリゲーションが（それが単一のＰＤＮ接続の単一のベアラに適用される場合でも）通信リンク５２６を介してアクティブである場合、ＵＥ５１５は、上記で説明したソリューションの場合のように挙動することができる。しかしながら、ＵＥが、２つ以上のＷＬＡＮ接続をサポートし、トラフィックアグリゲーションがベアラの特定のセットについてアクティブである場合、ＡＮＤＳＦ受信構成要素５５０によって受信されたＡＮＤＳＦルールは、トラフィックアグリゲーションがアクティブであるベアラに対応するＰＤＮ接続に適用されないことがある。この例では、他のＰＤＮ接続（たとえば、ＮＳＷＯまたはＥＰＣ接続性を使用したＷＬＡＮ２またはＷＬＡＮ３を介した接続）のトラフィックのステアリングは、ＡＮＤＳＦポリシーに基づき得る。したがって、接続管理構成要素５６０は、いくつかのベアラのために第２の接続を利用することができるが、他のベアラのために（たとえば、第２のＲＡＴの）別の接続を使用しないことがある。
【０１０２】
[00113]図１１に、トラフィックアグリゲーションを利用するベアラのサブセットを決定することに基づいて接続を管理するための例示的な方法１１００を示す。方法１１００は、ブロック１１１０において、第１のワイヤレスネットワークへの第１の接続を介して第１のＲＡＴを使用して第１のアクセスポイントと通信することを含む。ＵＥ５１５は、第１のネットワークへの第１の接続（たとえば、通信リンク５２５）を介して第１のＲＡＴ（たとえば、ＬＴＥ、ＵＭＴＳなど）を使用して第１のアクセスポイント（たとえば、ｅノードＢ５０５）と通信するための通信構成要素５４０を含む。方法１１００はまた、ブロック１１１２において、第１のアクセスポイントによって、第１の接続とのトラフィックアグリゲーションを実施するように構成された第２の接続を介して第２のＲＡＴを使用して第２のアクセスポイントと通信することを含む。したがって、通信構成要素５４０はまた、説明したように、第１の接続（たとえば、通信リンク５２５）とのトラフィックアグリゲーションを実施するように第１のアクセスポイント（たとえば、ｅノードＢ５０５）によって構成された第２の接続（たとえば、通信リンク５２６）を介して第２のＲＡＴ（たとえば、８０２．１１ＷｉＦｉ）を使用して第２のアクセスポイント（たとえば、ＷＬＡＮ  ＡＰ５０６）と通信することができる。
【０１０３】
[00114]方法１１００はまた、ブロック１１１４において、第１の接続とのトラフィックアグリゲーションを利用すべき複数のベアラのサブセットを決定することに少なくとも部分的に基づいて第２の接続を管理することを含む。接続管理構成要素５６０は、第１の接続とのトラフィックアグリゲーションを利用すべき複数のベアラのサブセットを決定することに少なくとも部分的に基づいて第２の接続を管理することができる。一例では、これは、ブロック１１１６において、第２のＲＡＴを使用して複数のベアラのサブセットを介した通信のために第２の接続を利用し、第２のＲＡＴを使用して複数のベアラの残りの部分を介した通信のために１つまたは複数の他の接続を利用することを含むことができる。さらに、ブロック１１１４において第２の接続を管理することは、ブロック１１１８において、複数のベアラが１つまたは複数の他の接続へのオフロードのために利用可能でないことを示すことをさらに含み得る。たとえば、トラフィックアグリゲーションがベアラのセットについてアクティブ化されると、接続管理構成要素５６０は、第２の接続を管理する際に、ベアラのセットがどのＰＤＮ接続に属するのかを識別することができ、そのようなＰＤＮ接続がＷＬＡＮへのオフロードのために利用可能でないことを上位レイヤ（たとえば、ＡＮＤＳＦを実施するレイヤ）に示すことができる。下位レイヤからそのような指示を受信すると、それらのＰＤＮ接続のうちの１つがＷＬＡＮにオフロードされるべきであることをＡＮＤＳＦルールが示す場合、ＰＤＮがオフロードのために利用可能であることを下位レイヤが示すまで（たとえば、接続管理構成要素５６０が、そのＰＤＮ接続に対応するベアラのためのトラフィックアグリゲーションを非アクティブ化するまで）、上位レイヤは、ＷＬＡＮへのＰＤＮ接続をオフロードしないことになる。
【０１０４】
[00115]図１２は、本開示の一態様に従って構成された処理システム１２１４を利用する装置１２００のための例示的なハードウェア実装形態を概念的に示すブロック図である。処理システム１２１４は、１つまたは複数の基地局との第１の接続と第２の接続とを管理することを含む、本明細書で説明する態様を実行するための通信構成要素５４０を含み、ここで、第１の接続と第２の接続とのうちの少なくとも１つは、トラフィックアグリゲーションを実施する。一例では、装置１２００は、様々な図で説明するＵＥのうちの１つと同じもしくは同様であり得るか、またはそれとともに含まれ得る。この例では、処理システム１２１４は、バス１２０２によって概略的に表されるバスアーキテクチャを用いて実装され得る。バス１２０２は、処理システム１２１４の特定の適用例および全体的な設計制約に応じて、任意の数の相互接続バスおよびブリッジを含み得る。バス１２０２は、プロセッサ１２０４によって概略的に表される１つまたは複数のプロセッサ（たとえば、中央処理ユニット（ＣＰＵ）、マイクロコントローラ、特定用途向け集積回路（ＡＳＩＣ）、プログラマブルゲートアレイ（ＦＰＧＡ））、およびコンピュータ可読媒体１２０６によって概略的に表されるコンピュータ可読媒体を含む様々な回路を互いにリンクする。バス１２０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１２０８は、バス１２０２と、信号を受信または送信するための１つまたは複数のアンテナ１２２０に接続されたトランシーバ１２１０との間のインターフェースを提供する。トランシーバ１２１０および１つまたは複数のアンテナ１２２０は、伝送媒体を介して（たとえば、オーバージエア（over-the-air）で）様々な他の装置と通信するための機構を提供する。装置の性質に応じて、ユーザインターフェース（ＵＩ）１２１２（たとえば、キーパッド、ディスプレイ、スピーカー、マイクロフォン、ジョイスティック）も提供され得る。
【０１０５】
[00116]プロセッサ１２０４は、バス１２０２を管理することと、コンピュータ可読媒体１２０６に記憶されたソフトウェアの実行を含む全般的な処理とを担当する。ソフトウェアは、プロセッサ１２０４によって実行されたとき、処理システム１２１４に、通信構成要素５４０などの特定の装置について本明細書で説明した様々な機能を実行すること、ならびに／あるいは通信構成要素５４０につて説明した機能および／または方法６００、７００、８００、９００、１０００、および／もしくは１１００において説明した機能を実行することを行わせる。コンピュータ可読媒体１２０６はまた、通信構成要素５４０について説明した機能、ならびに／あるいは方法６００、７００、８００、９００、１０００、および／または１１００において説明した機能を実行するためにソフトウェアを実行するときにプロセッサ１２０４によって操作されるデータを記憶するために使用され得る。上記で説明した通信構成要素１２４０は、プロセッサ１２０４によって、またはコンピュータ可読媒体１２０６によって、またはプロセッサ１２０４とコンピュータ可読媒体１２０６の任意の組合せによって全体的または部分的に実装され得る。
【０１０６】
[00117]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは粒子、光場もしくは光粒子、またはそれらの任意の組合せによって表現され得る。
【０１０７】
[00118]さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアおよびソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１０８】
[00119]本明細書の開示に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートもしくはトランジスタ論理、個別ハードウェア構成要素、または本明細書で説明した機能を実施するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０９】
[00120]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体の中に存在し得る。例示的な記憶媒体は、プロセッサが記憶媒体から情報を読み取り、記憶媒体に情報を書き込むことができるように、プロセッサに結合される。代替として、記憶媒体は、プロセッサと一体化され得る。プロセッサおよび記憶媒体は、ＡＳＩＣ中に存在し得る。ＡＳＩＣはユーザ端末中に存在し得る。代替として、プロセッサおよび記憶媒体は、ユーザ端末内に個別構成要素として存在し得る。
【０１１０】
[00121]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令またはデータ構造の形態の所望のプログラムコード手段を搬送または記憶するために使用され得、汎用もしくは専用コンピュータ、または汎用もしくは専用プロセッサによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含めるべきである。
【０１１１】
[00122]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
複数の無線アクセス技術（ＲＡＴ）を使用して１つまたは複数のワイヤレスネットワークと通信するための方法であって、
第１のワイヤレスネットワークにアクセスするために第１の接続を介して第１のＲＡＴを使用して第１のアクセスポイントと通信することと、
第２の接続を介して第２のＲＡＴを使用して第２のアクセスポイントと通信することと、ここにおいて、前記第２の接続が、前記第１のアクセスポイントから受信された構成に少なくとも部分的に基づいて前記第１の接続とのトラフィックアグリゲーションを実施するように構成される、
前記第１の接続との前記トラフィックアグリゲーションの前記第２の接続を少なくとも部分的にベースとした前記実施を管理することと
を備える、方法。
［Ｃ２］
前記第２の接続を管理することは、前記トラフィックアグリゲーションを実施するように構成された前記第２の接続が、前記第２のＲＡＴの１つまたは複数の他の接続よりも優先されるかどうかを決定することを備える、Ｃ１に記載の方法。
［Ｃ３］
前記トラフィックアグリゲーションを実施するように構成された前記第２の接続が前記第２のＲＡＴの前記１つまたは複数の他の接続よりも優先されるかどうかを決定することが、前記第１のアクセスポイントまたは前記第２のアクセスポイントによって構成される１つまたは複数のポリシーに少なくとも部分的に基づく、Ｃ２に記載の方法。
［Ｃ４］
前記１つまたは複数のポリシーは、前記トラフィックアグリゲーションを実施するように構成された前記第２のＲＡＴの接続が前記第２のＲＡＴの他の接続よりも優先されることを指定し、前記１つまたは複数の他の接続を許可しないことをさらに備える、ここで、前記１つまたは複数の他の接続が、前記第２のＲＡＴに関係する他のポリシーにかかわらず前記第２のＲＡＴに関係する、Ｃ３に記載の方法。
［Ｃ５］
前記１つまたは複数のポリシーは、前記トラフィックアグリゲーションを実施するように構成された前記第２のＲＡＴの接続が、前記第２のＲＡＴの他の接続に関係するルールのサブセットよりも優先されることを指定し、
ルールの前記サブセットが適用される前記１つまたは複数の他の接続を許可しないこと、ここで、前記１つまたは複数の他の接続が前記第２のＲＡＴに関係する、または
ルールの前記サブセットが適用されない前記１つまたは複数の他の接続を許可することと、ここで、前記１つまたは複数の他の接続が前記第２のＲＡＴに関係する、前記１つまたは複数の他の接続のほうを優先して前記第２の接続を無効化することと
のうちの少なくとも１つをさらに備える、Ｃ３に記載の方法。
［Ｃ６］
トラフィックアグリゲーションを利用する１つまたは複数の接続のアクティブ化または非アクティブ化を検出することに少なくとも部分的に基づいて前記１つまたは複数のポリシーを再構成すべきかどうかを決定することをさらに備える、Ｃ５に記載の方法。
［Ｃ７］
前記第２の接続を管理することは、トラフィックアグリゲーションを使用するように構成された前記第２のＲＡＴの接続が、前記第２のＲＡＴの他の接続よりも優先されると決定することに少なくとも部分的に基づいて第２のＲＡＴインターフェースに前記第２のＲＡＴの他のネットワークの利用可能性を報告することを控えることを備える、Ｃ２に記載の方法。
［Ｃ８］
前記第２の接続を管理することは、トラフィックアグリゲーションを使用するように構成された前記第２のＲＡＴの接続が、前記第２のＲＡＴの他の接続よりも優先されると決定することに少なくとも部分的に基づいて前記第２のＲＡＴの選択機能に前記第２のＲＡＴの他のネットワークの利用可能性を報告することを控えることを備える、Ｃ２に記載の方法。
［Ｃ９］
前記第２の接続を管理することは、トラフィックアグリゲーションを実施するように構成された前記第２のＲＡＴの接続が、他のＲＡＴを利用する１つまたは複数の他の接続よりも優先されるかどうかを決定することを備える、Ｃ１に記載の方法。
［Ｃ１０］
トラフィックアグリゲーションを実施するように構成された前記第２のＲＡＴの接続が、他のＲＡＴを利用する他の接続よりも優先されるかどうかを決定することが、前記第１のアクセスポイントまたは前記第２のアクセスポイントによって構成される１つまたは複数のポリシーに少なくとも部分的に基づく、Ｃ９に記載の方法。
［Ｃ１１］
前記第２の接続を管理することが、前記１つまたは複数の他の接続を許可しないことを備える、ここにおいて、前記１つまたは複数の他の接続が、他のＲＡＴに関係する、ここにおいて、決定することは、トラフィックアグリゲーションを使用するように構成された前記第２のＲＡＴの接続が、他のＲＡＴを利用する接続よりも優先されると決定することを含む、Ｃ９に記載の方法。
［Ｃ１２］
前記第２のＲＡＴを使用して１つまたは複数の他の接続を開始するという指示を受信すること、ここにおいて、前記第２の接続を管理することが、前記第２の接続を無効化することと、前記１つまたは複数の他の接続をアクティブ化することとを備える、をさらに備える、Ｃ１に記載の方法。
［Ｃ１３］
前記指示を受信することが、インターフェース選択あるいは前記第２のＲＡＴの１つまたは複数のポリシーから前記指示を受信することを備える、Ｃ１２に記載の方法。
［Ｃ１４］
前記第２の接続を無効化することが、前記トラフィックアグリゲーションを無効化するために前記第１のアクセスポイントにメッセージを送ることを備える、Ｃ１２に記載の方法。
［Ｃ１５］
トラフィックアグリゲーションを無効化するために前記第１のアクセスポイントに前記メッセージを送ることが、前記１つまたは複数の他の接続を開始するという前記指示を受信することによりトラフィックアグリゲーションを無効化することに関係する原因コードを前記メッセージ中で送ることを備える、Ｃ１４に記載の方法。
［Ｃ１６］
前記１つまたは複数の他の接続を終了することに少なくとも部分的に基づいて前記１つまたは複数の他の接続の終了に関係する別の指示を前記第１のアクセスポイントに送ることと、
前記第１のアクセスポイントに前記別の指示を送ることに少なくとも部分的に基づいて前記第１のワイヤレスネットワークにアクセスするために前記第２のＲＡＴを使用して別の接続を開始することと
をさらに備える、Ｃ１５に記載の方法。
［Ｃ１７］
前記第１のワイヤレスネットワークへのパケットコアアクセスのためにではなく、１つまたは複数のポリシーによって指定された前記第１の接続または前記第２の接続からの指定されたトラフィックオフロードのために前記第３の接続を利用することに少なくとも部分的によって前記第２のＲＡＴを使用して第３のアクセスポイントとの第３の接続を管理することをさらに備える、Ｃ１に記載の方法。
［Ｃ１８］
指定されたトラフィックオフロードのために前記第３の接続を利用することが、前記第１のワイヤレスネットワークへのパケットコアアクセスをサポートする前記第３のアクセスポイントの能力を通知することを控えることを備える、Ｃ１７に記載の方法。
［Ｃ１９］
指定されたトラフィックオフロードのために前記第３の接続を利用することが、前記第３の接続のための前記第３のアクセスポイントを選択する際に前記第１のワイヤレスネットワークへのパケットコアアクセスをサポートする前記第３のアクセスポイントの能力を検討することを控えることを備える、Ｃ１７に記載の方法。
［Ｃ２０］
指定されたトラフィックオフロードのために前記第３の接続を利用することが、前記第３の接続のための前記第３のアクセスポイントを選択する際に前記第１のワイヤレスネットワークへのパケットコアアクセスをサポートする発見されたアクセスポイントの能力を検討することを控えることを備える、Ｃ１７に記載の方法。
［Ｃ２１］
前記第２の接続を管理することが、トラフィックアグリゲーションを利用すべき複数のベアラのサブセットを決定することに少なくとも部分的に基づき、
前記第２のＲＡＴを使用した前記複数のベアラの前記サブセットを介した通信のために前記第２の接続を利用することと、
前記第２のＲＡＴを使用した前記複数のベアラの残りの部分を介した通信のために１つまたは複数の他の接続を利用することと
をさらに備える、Ｃ１に記載の方法。
［Ｃ２２］
前記複数のベアラの前記残りの部分を介した通信のために前記１つまたは複数の他の接続を利用することが、前記第２のＲＡＴのための１つまたは複数のポリシーに少なくとも部分的に基づく、Ｃ２１に記載の方法。
［Ｃ２３］
前記第２のＲＡＴを使用した前記複数のベアラの前記サブセットを介した通信のために前記第２の接続を利用することが、前記１つまたは複数の他の接続にオフロードするために前記複数のベアラが利用可能でないことを示すことを備える、Ｃ２１に記載の方法。
［Ｃ２４］
オフロードするために前記複数のベアラが利用可能でないことを示すことが、前記第２のＲＡＴに指定される１つまたは複数のポリシー中で行われる、Ｃ２３に記載の方法。
［Ｃ２５］
複数の無線アクセス技術（ＲＡＴ）を使用して１つまたは複数のワイヤレスネットワークと通信するための装置であって、
第１のワイヤレスネットワークにアクセスするために第１の接続を介して第１のＲＡＴを使用して第１のアクセスポイントと通信することと、第２の接続を介して第２のＲＡＴを使用して第２のアクセスポイントと通信することと、ここにおいて、前記第２の接続が、前記第１のアクセスポイントから受信された構成に少なくとも部分的に基づいて前記第１の接続とのトラフィックアグリゲーションを実施するように構成される、を行うように構成された通信構成要素と、
前記第１の接続との前記トラフィックアグリゲーションの前記第２の接続を少なくとも部分的にベースとした前記実施を管理することを行うように構成された接続管理構成要素と
を備える、装置。
［Ｃ２６］
前記接続管理構成要素は、前記トラフィックアグリゲーションを実施するように構成された前記第２の接続が、前記第２のＲＡＴの１つまたは複数の他の接続よりも優先されるかどうかを決定することに少なくとも部分的によって前記第２の接続を管理するように構成される、Ｃ２５に記載の装置。
［Ｃ２７］
複数の無線アクセス技術（ＲＡＴ）を使用して１つまたは複数のワイヤレスネットワークと通信するための装置であって、
第１のワイヤレスネットワークにアクセスするために第１の接続を介して第１のＲＡＴを使用して第１のアクセスポイントと通信するための手段と、
第２の接続を介して第２のＲＡＴを使用して第２のアクセスポイントと通信するための手段と、ここにおいて、前記第２の接続が、前記第１のアクセスポイントから受信された構成に少なくとも部分的に基づいて前記第１の接続とのトラフィックアグリゲーションを実施するように構成される、
前記第１の接続との前記トラフィックアグリゲーションの前記第２の接続を少なくとも部分的にベースとした前記実施を管理するための手段と
を備える、装置。
［Ｃ２８］
前記第２の接続を管理するための前記手段は、前記トラフィックアグリゲーションを実施するように構成された前記第２の接続が、前記第２のＲＡＴの１つまたは複数の他の接続よりも優先されるかどうかを決定することに少なくとも部分的によって前記第２の接続を管理するように構成される、Ｃ２７に記載の装置。
［Ｃ２９］
複数の無線アクセス技術（ＲＡＴ）を使用して１つまたは複数のワイヤレスネットワークと通信するための非一時的コンピュータ可読記憶媒体であって、少なくとも１つのコンピュータに、第１のワイヤレスネットワークにアクセスするために第１の接続を介して第１のＲＡＴを使用して第１のアクセスポイントと通信することを行わせるためのコードと、
前記少なくとも１つのコンピュータに、第２の接続を介して第２のＲＡＴを使用して第２のアクセスポイントと通信することを行わせるためのコードと、ここにおいて、前記第２の接続が、前記第１のアクセスポイントから受信された構成に少なくとも部分的に基づいて前記第１の接続とのトラフィックアグリゲーションを実施するように構成される、  前記少なくとも１つのコンピュータに、前記第１の接続との前記トラフィックアグリゲーションの前記第２の接続を少なくとも部分的にベースとした前記実施を管理することを行わせるためのコードと
を備える、非一時的コンピュータ可読記憶媒体。
［Ｃ３０］
前記第２の接続を管理するための前記コードは、前記トラフィックアグリゲーションを実施するように構成された前記第２の接続が、前記第２のＲＡＴの１つまたは複数の他の接続よりも優先されるかどうかを決定することに少なくとも部分的によって前記第２の接続を管理するためのコードを備える、Ｃ２９に記載のコンピュータ可読媒体。
【図１】
0006526720.tif 000002
【図２】
0006526720.tif 000003
【図３】
0006526720.tif 000004
【図４ａ】
0006526720.tif 000005
【図４ｂ】
0006526720.tif 000006
【図４ｃ】
0006526720.tif 000007
【図５】
0006526720.tif 000008
【図６】
0006526720.tif 000009
【図７】
0006526720.tif 000010
【図８】
0006526720.tif 000011
【図９】
0006526720.tif 000012
【図１０】
0006526720.tif 000013
【図１１】
0006526720.tif 000014
【図１２】
0006526720.tif 000015